(57)【特許請求の範囲】
【請求項１】
所定の伸び率の伸縮性及び弾性を有するシート素材により、女性の下腹部の全面を覆う前身頃部と、女性の臀部の全面を覆う後身頃部と、前記前身頃部及び前記後身頃部間に設けられて女性の股間部の全面を覆う股部とを備える所定形状に形成される外側被覆部と、
前記外側被覆部のシート素材よりも低い伸び率を有する非伸長性シート素材又は低伸長性シート素材により、女性の下腹部の左右方向中央部を覆う前側部と、女性の臀部の左右方向中央部を覆う後側部と、前記前側部及び前記後側部間に設けられて女性の股間部のうち少なくとも膣前庭を包含する範囲である圧接範囲を覆う中央部とを備える所定形状に形成され、前記外側被覆部の前身頃部の内面の左右方向中央部に前記前側部を配置し、前記外側被覆部の後身頃部の内面の左右方向中央部に前記後側部を配置し、前記外側被覆部の股部の内面に前記中央部を配置した積層状態で、前記外側被覆部の内面に接合される内側被覆部と、
前記積層状態の外側被覆部及び内側被覆部の上縁に接合される周回状をなし、着用者の腰部の所定高さ位置を弾性的に締め付けて、当該所定高さ位置に保持されることにより、前記内側被覆部の前側部及び後側部を介して前記中央部を着用者の股間部の前記圧接範囲に向かって引き上げて圧接させるウエストバンド部とを備え、
前記内側被覆部は、前記非伸長性シート素材又は低伸長性シート素材からなる前記前側部と中央部と後側部とを、前記ウエストバンド部の前側の少なくとも中央部の下縁位置から後側の少なくとも中央部の下縁位置まで一連の連続シート状として延設すると共に、前記前側部及び中央部及び後側部の延設方向に沿った両側の縁を、それぞれ、それらの縁に対応する線形状の線状接合部により、前記外側被覆部の前身頃部及び股部及び後身頃部に一体的に接合することで、前記伸縮性及び弾性を有するシート素材からなる外側被覆部により、前記内側被覆部の前側部及び中央部及び後側部を左右方向両側から引っ張り状態で保持して、前記外側被覆部の前身頃部及び股部及び後身頃部の左右方向中央部に保持し、かつ、前記非伸長性シート素材又は低伸長性シート素材からなる前記一連の連続シート状の前側部と中央部と後側部とを、前記ウエストバンド部による引き上げ力によって上方に引き上げることで、前記中央部を着用者の股間部の前記圧接範囲に圧接させることを特徴とする女性用下着。
【請求項２】
前記内側被覆部の非伸長性シート素材又は低伸長性シート素材は、前記伸び率が１．５〜３０％の範囲内の非伸長性シート素材又は低伸長性シート素材である請求項１記載の女性用下着。
【請求項３】
前記内側被覆部の前側部は、前記ウエストバンド部の前側半部の下縁に一致する上縁と、前記上縁の左右両端から下方に伸びる一対の側縁と、前記側縁の下端から前記中央部まで所定の勾配で延びる左右一対の傾斜縁とを有し、
前記内側被覆部の後側部は、前記ウエストバンド部の後側半部の下縁に一致する上縁と、前記上縁の左右両端から下方に伸びる一対の側縁と、前記側縁の下端から前記中央部まで所定の勾配で延びる左右一対の傾斜縁とを有し、
前記内側被覆部の中央部は、前記前側部の一対の傾斜縁の下端と前記後側部の一対の傾斜縁の下端とに連続する左右一対の側縁を有し、
前記後側部の左右一対の傾斜縁を、それぞれ、前記中央部に近い側の第１の傾斜縁と、前記ウエストバンド部に近い側の第２の傾斜縁とに所定高さ位置で分割し、かつ、前記後側部の鉛直線に対する前記第１の傾斜縁の勾配より前記第２の傾斜縁の勾配を相対的に大きく設定して、前記傾斜縁の勾配を前記所定高さ位置で変更し、
前記前側部の左右一対の傾斜縁、前記中央部の左右一対の側縁、及び、前記後側部の左右一対の傾斜縁を、前記延設方向に沿った両側の縁として、それぞれ、前記前側部の傾斜縁に対応する線形状の第１の線状接合部、前記中央部の側縁に対応する線形状の第２の線状接合部、及び、前記後側部の第１の傾斜縁に対応する線形状の第３の線状接合部、及び、前記後側部の第２の傾斜縁に対応する線形状の第４の線状接合部により、前記外側被覆部の前身頃部及び股部及び後身頃部に一体的に接合し、
着用者の体形に応じて、前記前側部の傾斜縁の勾配と、前記後側部の第１の傾斜縁の勾配と前記第２の傾斜縁の勾配とをそれぞれ変更することで、前記ウエストバンド部による引き上げ力に基づく前記前側部及び後側部からの引っ張り力による前記中央部の展張状態を制御して、前記中央部が着用者の前記圧接範囲に面的に密接して当該圧接範囲を継続的に押圧するようにしたことを特徴とする請求項１又は２記載の女性用下着。
【請求項４】
着用時の前記ウエストバンド部による引き上げ力によって、前記内側被覆部の前側部のうち、前記左右一対の第１の線状接合部間にある前記前側部の左右方向中央部の帯状の領域に、鉛直方向の上方に向かう第１の力を発生させると共に、前記引き上げ力を前記第１の線状接合部に伝達して、前記前側部の傾斜縁部分において、当該前側部の傾斜縁の勾配に応じた傾斜方向の上方に向かう第２の力を発生させ、前記前側部に、前記第１の力及び第２の力からなる２つの異なる方向の力を作用させて、前記第１の力及び第２の力のそれぞれの始点が重複する重複作用点からの力を、前記中央部の前側部分に合成して加えることで、前記中央部の展張状態を制御するようにしたことを特徴とする請求項３記載の女性用下着。
【発明の詳細な説明】
【技術分野】
【０００１】
本発明は、女性の下腹部に着用される女性用下着に関し、特に、骨盤臓器脱の治療用下着として好適な女性用下着に関する。
【背景技術】
【０００２】
従来、骨盤臓器脱なる疾病が知られている。この骨盤臓器脱は、骨盤の内部にある子宮、膀胱、直腸等の臓器が膣の中に落ち込み、膣壁と一緒に体外に脱出してしまう疾病であり、その症状によって、子宮脱、膀胱瘤、直腸瘤等と呼ばれている。その原因は、更年期、老化、出産（特に多産、難産、巨大児出産等）、肥満、喘息等の慢性的な咳、便秘で排便の際に力む行為等があり、これらの原因により、骨盤内の臓器を支える筋肉、筋膜、靭帯等が緩んで、臓器を支持できなくなることにより、骨盤臓器脱が発症する。その主な症状は、尿失禁、排尿難、下腹部の違和感、歩行難・歩行不能等がある。また、その治療法は、ペッサリー療法があるが、このペッサリー療法は対症的なものであるため、根本的な治療法としては、外科手術により、臓器を本来の位置に戻すことが行われている。更に、その予防法として、骨盤底筋等を鍛える事である程度の予防は可能と考えられている。
【０００３】
ここで、かかる骨盤臓器脱の治療又は予防用の器具として、特許文献１に記載の発明が提案されている。この発明の器具は、少なくとも女性器に接触する表面が柔軟性を有する受容部材と、受容部材を支持する、受容部材に比べて相対的に剛性を有する支持部材とを備えている。受容部材は、支持部材に対して揺動又は伸縮可能である。また、受容部材は、熱硬化性エラストマーまたは熱可塑性エラストマーからなる柔軟性を有するカバーと、カバーの裏面に接するように設けられた弾性体とを有してなる。カバーの基端部は、弾性体の底面の周辺部まで当該弾性体を被覆するように、支持部材に固定されている。そして、支持部材に、カバーとにより画成される空間の空気抜き用の貫通孔が形成されている。（以上、特許文献１の特許請求の範囲の請求項１参照）
【先行技術文献】
【特許文献】
【０００４】
【特許文献１】特許第５１３８０４４号公報
【発明の概要】
【発明が解決しようとする課題】
【０００５】
上記のように、特許文献１の発明の器具は、患者の女性器に接触する受容部材が柔軟性を有する材料から構成され、しかも受容部材が支持部材に対して揺動又は伸縮可能に構成されているので、痛みや違和感を解消することができる一方、受容部材を支持する支持部材は相対的に剛性を有する材料から構成されているので、女性器から外に出てこようとする骨盤内臓器を受け止めることができるとされている（０００９段落）。一方、特許文献１の発明の器具は、患者の女性器に装着するにあたり、これを保持するための固定シートを使用している。即ち、固定シートを、（その図6に示すように）女性用の下着のパンツの所定位置、すなわち受容部材のカバーが骨盤内臓器の脱出部位である女性器に対向する位置に、面ファスナーまたは滑り止め機能を有する第5層で固定することで、患者の身体に対して器具を固定するようになっている（００２１〜００２３段落）。また、特許文献１の器具は、受容部材を骨盤内臓器の脱出部位である女性器にさらに強く密着させたいときは、（その図６及び図７に示す）保持ベルトを用いることもできるようになっている（００２４段落）。
【０００６】
しかし、特許文献１の器具は、固定シートにより下着に装着する作業が面倒である。また、特許文献１の器具は、下着に装着した後の使用中に下着の定位置から位置ずれしないよう、面ファスナーや滑り止め機能を有する第５層を含む５層構造の固定シートが別個に必要となり、その装着作業が更に面倒となり、全体の部品点数も増加して、構成が複雑化してしまうことから、製造コストが増大する可能性がある。更に、特許文献１の器具は、固定シートで下着の定位置に固定したとしても、下着自体（特に女性器に対向する股部）が、生地の伸縮性や弾性により比較的容易に位置ずれする可能性があり、この場合、器具による本来の機能が損なわれることになる。このため、特許文献１の器具は、保持ベルトを使用して女性器に更に強く密着させるようにしていると考えられるが、この場合、固定シートを使用した器具の下着への装着作業に加え、保持ベルトの装着作業が必要となり、全体の装着作業が更に一層面倒となり、また、全体の部品点数も一層増加して、構成が一層複雑化してしまうことから、製造コストが一層増大する可能性がある。
【０００７】
ここで、本発明者は、子宮脱等の骨盤臓器脱により骨盤内臓器（例えば子宮）が女性器から外部に脱出するのを抑制又は防止する（或いは、骨盤内に押し戻してその状態を維持する）ために、通常の女性用下着（一般に、パンティーやショーツと呼ばれている女性用下着）自体に、子宮等の骨盤内臓器を外部から支持して骨盤内に押し戻す構成を一体化することの着想を得て、数々の試行錯誤を経て、鋭意の研究開発を重ねた結果、本発明の女性用下着に想到したものである。
【０００８】
即ち、本発明は、特に、骨盤臓器脱の治療用下着として好適に使用することができ、この場合において、骨盤内臓器を外部から支持して骨盤内に押し戻すための構成を女性用下着に一体化することで、特別な別個の器具を不要として下着への特別な装着作業を不要とし、使用者が通常の下着を着衣するのと同様の簡単な動作で装着作業を迅速かつ簡単に完了することができるようにすると共に、全体の部品点数を削減して全体の構成をコンパクト化することにより、通常の下着と同様の外観及び印象を使用者に与えることができ、更に、製造コストも低減することができる女性用下着の提供を課題とする。
【課題を解決するための手段】
【０００９】
本発明に係る女性用下着は、外側被覆部と、内側被覆部とウエストバンド部とを備える。外側被覆部は、所定の伸び率の伸縮性及び弾性を有するシート素材により、女性の下腹部の全面（即ち、ウエスト部から脚の付け根の部分までの部分の全面）を覆う前身頃部と、女性の臀部の全面を覆う後身頃部と、前記前身頃部及び前記後身頃部間に設けられて女性の股間部の全面を覆う股部とを備える所定形状に形成される。内側被覆部は、前記外側被覆部のシート素材よりも低い伸び率を有する非伸長性シート素材又は低伸長性シート素材により、女性の下腹部の左右方向中央部を覆う前側部と、女性の臀部の左右方向中央部を覆う後側部と、前記前側部及び前記後側部間に設けられて女性の股間部のうち少なくとも膣前庭を包含する範囲である圧接範囲を覆う中央部とを備える所定形状に形成される。また、内側被覆部は、前記外側被覆部の前身頃部の内面の左右方向中央部に前記前側部を配置し、前記外側被覆部の後身頃部の内面の左右方向中央部に前記後側部を配置し、前記外側被覆部の股部の内面に前記中央部を配置した積層状態で、前記外側被覆部の内面に接合される。ウエストバンド部は、前記積層状態の外側被覆部及び内側被覆部の上縁に接合される周回状をなし、着用者の腰部の所定高さ位置を弾性的に締め付けて、当該所定高さ位置に保持されることにより、前記内側被覆部の前側部及び後側部を介して前記中央部を着用者の股間部の前記圧接範囲に向かって引き上げて圧接させる。そして、前記内側被覆部は、前記非伸長性シート素材又は低伸長性シート素材からなる前記前側部と中央部と後側部とを、前記ウエストバンド部の前側の少なくとも中央部の下縁位置から後側の少なくとも中央部の下縁位置まで一連の連続シート状として延設すると共に、前記前側部及び中央部及び後側部の延設方向に沿った両側の縁を、それぞれ、それらの縁に対応する線形状の線状接合部により、前記外側被覆部の前身頃部及び股部及び後身頃部に一体的に接合することで、前記伸縮性及び弾性を有するシート素材からなる外側被覆部により、前記内側被覆部の前側部及び中央部及び後側部を左右方向両側から引っ張り状態で保持して、前記外側被覆部の前身頃部及び股部及び後身頃部の左右方向中央部に保持し、かつ、前記非伸長性シート素材又は低伸長性シート素材からなる前記一連の連続シート状の前側部と中央部と後側部とを、前記ウエストバンド部による引き上げ力によって上方に引き上げることで、前記中央部を着用者の股間部の前記圧接範囲に圧接させる。
【発明の効果】
【００１０】
本発明に係る女性用下着は、上記のように構成したため、骨盤臓器脱の治療用下着として好適に使用することができ、この場合において、骨盤内臓器を外部から支持して骨盤内に押し戻すための構成を女性用下着に一体化することで、子宮脱等の骨盤臓器脱により骨盤内臓器（例えば子宮）が女性器から外部に脱出するのを抑制又は防止する（或いは、骨盤内に押し戻してその状態を維持する）ことができ、また、そのための特別な別個の器具を不要として下着への特別な装着作業を不要とし、使用者が通常の下着を着衣するのと同様の簡単な動作で装着作業を迅速かつ簡単に完了することができるようにすると共に、全体の部品点数を削減して全体の構成をコンパクト化することにより、通常の下着と同様の外観及び印象を使用者に与えることができ、更に、製造コストも低減することができるという特有の効果を発揮する。
【図面の簡単な説明】
【００１１】
【図１】図１は本発明の実施の形態１に係る女性用下着の全体構成を示す斜視図である。
【図２】図２は本発明の実施の形態１に係る女性用下着の外側被覆部、内側被覆部及びウエストベルト部を分解して示す斜視図である。
【図３】図３は本発明の実施の形態１に係る女性用下着の外側被覆部及び内側被覆部の展開状態を示し、（ａ）は外側被覆部の展開図、（ｂ）は内側被覆部の展開図である。
【図４】図４は本発明の実施の形態１に係る女性用下着の外側被覆部の内面に内側被覆部を接合した状態の展開図である。
【図５】図５は本発明の実施の形態１に係る女性用下着の全体構成を示す正面図である。
【図６】図６は本発明の実施の形態１に係る女性用下着の全体構成を示す背面図である。
【図７】図７は本発明の実施の形態１に係る女性用下着の全体構成を示す右側面図である。
【図８】図８は本発明の実施の形態１に係る女性用下着の全体構成を示す左側面図である。
【図９】図９は本発明の実施の形態１に係る女性用下着の全体構成を示す平面図である。
【図１０】図１０は本発明の実施の形態１に係る女性用下着の全体構成を示す底面図である。
【図１１】図１１は本発明の実施の形態１に係る女性用下着の裏面側（内面側）の全体構成を示す斜視図である。
【図１２】図１２は本発明の実施の形態１に係る女性用下着の裏面側（内面側）の全体構成を示す正面図である。
【図１３】図１３は本発明の実施の形態１に係る女性用下着の裏面側（内面側）の全体構成を示す背面図である。
【図１４】図１４は本発明の実施の形態１に係る女性用下着の裏面側（内面側）の全体構成を示す右側面図である。
【図１５】図１５は本発明の実施の形態１に係る女性用下着の裏面側（内面側）の全体構成を示す左側面図である。
【図１６】図１６は本発明の実施の形態１に係る女性用下着の裏面側（内面側）の全体構成を示す平面図である。
【図１７】図１７は本発明の実施の形態１に係る女性用下着の裏面側（内面側）の全体構成を示す底面図である。
【図１８】図１８は本発明の実施の形態１に係る女性用下着を着用者が着用した状態を正面側から見て示す使用状態図である。
【図１９】図１９は本発明の実施の形態１に係る女性用下着を着用者が着用した状態を背面側から見て示す使用状態図である。
【図２０】図２０は図５のＡ−Ａ線断面図である。
【図２１】図２１は本発明の実施の形態１に係る女性用下着を着用する着用者の下腹部を模式的に示す構造図であり、（ａ）は着用前の状態を示し、（ｂ）は着用後の状態を示す。
【図２２】図２２は本発明の実施の形態１に係る女性用下着の正面側の展張制御について前身頃部の傾斜縁の勾配を第１〜３の勾配に設定して説明する正面図であり、（ａ）は第１の勾配、（ｂ）は第２の勾配、（ｃ）は第３の勾配を示す。
【図２３】図２３は本発明の実施の形態１に係る女性用下着の背面側の展張制御について後身頃部の傾斜縁の勾配を第１〜３の勾配に設定して説明する背面図であり、（ａ）は第１の勾配、（ｂ）は第２の勾配、（ｃ）は第三の勾配を示す。
【図２４】図２４は本発明の実施の形態２に係る女性用下着の外側被覆部、内側被覆部及びウエストベルト部を分解して示す斜視図である。
【発明を実施するための形態】
【００１２】
以下、本発明を実施するための形態（以下、実施の形態という）を説明する。なお、各実施の形態を通じ、同一の部材、要素または部分には同一の符号を付して、その説明を省略する。
【００１３】
［実施の形態１］
図１に示すように、本発明の実施の形態１に係る女性用下着１は、一般にパンティー又はショーツと呼ばれるタイプの女性用下着（以下、単に、「女性用下着」という。）に具体化されている。本実施の形態の女性用下着１は、図２（分解図）に示すように、その構成要素として、外側被覆部１０、内側被覆部２０及びウエストバンド部３０を備えている。詳細には、女性用下着１は、外側被覆部１０の内面に内側被覆部２０が重ね合わせて一体化され、内側被覆部２０と外側被覆部１０とを内外で一体化した複数層構造の被覆部が形成されている。また、ウエストバンド部３０は、被覆部１０、２０の上端縁の全周にわたって一体的に接合されている。これにより、女性用下着１は、通常の女性用下着と同様の外観を呈している。以下、外側被覆部１０、内側被覆部２０及びウエストバンド部３０の詳細について説明する。
【００１４】
［外側被覆部］
図３（ａ）（外側被覆部１０の展開図）に示すように、外側被覆部１０は、所定の伸び率の伸縮性及び弾性を有するシート素材により、女性の下腹部の全面（ウエスト部から脚の付け根の部分まで）を覆う前身頃部１１と、女性の臀部の全面を覆う後身頃部１２と、前身頃部１１及び後身頃部１２間に設けられて女性の股間部の全面を覆う股部１３とを備える所定形状に形成される。外側被覆部１０は、本実施の形態の女性用下着１の外観及び意匠を決定する構成部材であり、通常の女性用下着と同様の外観構成とすることができる。例えば、図示の例では、外側被覆部１０は、いわゆるボクサータイプのパンティーと同様の外観を有している。即ち、外側被覆部１０のうち、前見頃部１１及び後見頃部１２は、股上の丈が長く（即ち、股上が深く）、それぞれ、股部１３の前端及び後端から着用者の骨盤の腸骨陵（いわゆる腰骨）の上端の高さ位置まで延びる丈を有しており、着用者の脚を挿入する左右一対の開口部１５（即ち、前見頃部１１及び後身頃１２の下端縁となる左右一対の若干の傾斜状又は略水平状の側縁と股部１３の左右両側縁との間に形成される左右一対の開口部）は、いわゆるボーイレッグのライン構成（即ち、脚ぐりがほぼ水平なライン）を有しており、着用者の臀部を覆う後見頃部１２は、いわゆるフルバックのバックスタイル（即ち、臀部全体を覆うバックスタイル）を有している。なお、本実施の形態では、外側被覆部１０は、前見頃部１１、後身頃部１２及び股部１３を、それぞれ、別個のシート素材（所定の布生地）から所定形状及び所定寸法に形成し、それらを接合端縁で縫製等により接合して所定の一体構造となるようにしているが、後述するように、それらを１枚のシート素材で形成する等、他のシート構成とすることも可能である。
【００１５】
＜前見頃部＞
前見頃部１１は、通常の女性用下着の前見頃に相当する部材又は部分である一方で、女性用下着１の使用者である着用者（典型的には、骨盤臓器脱の治療対象者）の腹部のうち、下腹部の前側部分（典型的には、股間部を除く下腹部の前側部から側部まで下腹部の周方向に延びる部分）の全体を覆う所定形状並びに所定寸法及び所定面積を有している。前見頃部１１の前記所定形状は、着用者の下腹部の前側部の全体に対応する外形及び輪郭のシート形状であって、左右方向（ウエスト方向）に直線状に延びる上縁１１ａ、上縁１１ａの左右両端から下方（股間に向かう方向）に直線状に延びる左右一対の側縁１１ｂ、左右一対の側縁１１ｂの下端からそれぞれ内方に向かって傾斜して延びる左右一対の所定曲率の湾曲状の傾斜縁１１ｃ、及び、傾斜縁１１ｃの内端を連結するよう左右方向に延びる所定曲率の湾曲状の下縁１１ｄとからなる平面略六角形状である。なお、前身頃部１１の上縁１１ａは、着用者の腹部の前側部の周方向に沿って左右方向に延びる直線状の輪郭形状を有しており、左右一対の側縁１１ｂは、（外方に若干傾斜して）下方へと延びる直線状の輪郭形状を有している。
【００１６】
また、前身頃部１１の左右一対の傾斜縁１１ｃは、着用者の脚の付け根の前側部の輪郭に沿って延びる湾曲傾斜状の輪郭形状を有しており、前身頃部１１が着用者の下腹部の前側部を、着用者の脚の付け根部分まで（即ち、鼠蹊部まで）覆うようになっている。より詳細には、前身頃部１１の左右一対の傾斜縁１１ｃは、それぞれ、着用者の左右一対の大腿骨の大転子（大腿骨頚の上外側に突出する部分）の下端付近の位置から股間位置まで、着用者の大腿部の付け根の前側半部の湾曲面に沿って延びるよう設けられている。更に、前身頃部１１の下縁１１ｄは、着用者の股間の前端縁（即ち、女性器の露出部分の前端縁付近）に沿って左右方向に延びる所定曲率の湾曲線状（若干の湾曲線状）の輪郭形状を有している。また、前見頃部１１の前記寸法のうち高さ寸法は、（着用者の下腹部に沿った曲線方向の寸法として）着用者の骨盤の腸骨陵上端の高さ位置から股間部の前端位置（即ち、股間部の前側の上端位置）まで延びる上下寸法となっている。更に、前見頃部１１の前記面積は、前記所定形状及び前記所定寸法により規定される所定面積となっている。このように、前見頃部１１は、その上縁１１ａを直線状とすると共に左右両側の傾斜縁１１ｃを曲線状とし、前記所定形状で最上位置の所定最大幅となる位置から最下位置の所定最小幅となる位置まで前記所定の上下寸法だけ延びる、前記所定面積を有する布状（シート状）をなす前側外布部を構成している。
【００１７】
＜後見頃部＞
後見頃部１２は、通常の女性用下着の後見頃に相当する部材又は部分である一方で、着用者の臀部（典型的には、股間部を除く臀部の後側部から側部まで臀部の周方向に延びる部分）の全体を覆う所定形状並びに所定寸法及び所定面積を有している。後見頃部１２の前記所定形状は、着用者の臀部に対応する外形及び輪郭のシート形状であって、左右方向（ウエスト方向）に直線状に延びる上縁１２ａ、上縁１２ａの左右両端から下方に直線状に延びる左右一対の側縁１２ｂ、左右一対の側縁１２ｂの下端からそれぞれ内方に向かって傾斜して延びる左右一対の所定曲率の湾曲状の傾斜縁１２ｃ、及び、傾斜縁１２ｃの内端を連結するよう左右方向に延びる所定曲率の湾曲状の下縁１２ｄとからなる平面略六角形状である。なお、後身頃部１２の上縁１２ａは、着用者の臀部又は腰部の周方向に沿って左右方向に延びる直線状の輪郭形状を有しており、左右一対の側縁１２ｂは、（外方に若干傾斜して）下方に延びる直線状の輪郭形状を有しているまた、後身頃部１２の左右一対の側縁１２ｂは、それぞれ、前身頃部１１の左右一対の側縁１１ｂに（縫合等によって）接合される端縁であって、前身頃部１１の側縁１１ｂに整合する寸法及び輪郭形状を有している。
【００１８】
また、後身頃部１２の左右一対の傾斜縁１２ｃは、着用者の脚の付け根の後側部の輪郭に沿って延びる直線状又は若干の湾曲傾斜状の輪郭形状を有しており、後身頃部１２が着用者の臀部を、着用者の脚の付け根部分まで覆うようになっている。より詳細には、後身頃部１２の傾斜縁１２ｃは、着用者の大腿骨の大転子（大腿骨頚の上外側に突出する部分）の下端付近の位置から股間位置まで、着用者の大腿部の後側半部の湾曲面に沿って（典型的には、大腿部と臀部との間の境界線に沿って）延びるよう設けられている。更に、後身頃部１２の下縁１２ｄは、股間の後端縁（即ち、女性器の露出部分の後端縁付近）に沿って左右方向に延びる所定曲率の湾曲線状（前身頃部１１の下縁１１ｄよりも大きな曲率の湾曲線状）の輪郭形状を有している。また、後見頃部１２の前記寸法のうち高さ寸法は、（着用者の臀部に沿った曲線方向の寸法として）着用者の骨盤の腸骨陵上端の高さ位置から股間部の後端位置（即ち、股間部の後側の上端位置）まで延びる上下寸法となっている。更に、後見頃部１２の前記面積は、前記所定形状及び前記所定寸法により規定される所定面積となっている。このように、後見頃部１２は、その上縁１２ａを直線状とすると共に左右両側の傾斜縁１２ｃを直線状又は若干の湾曲線状とし、前記所定形状で最上位置の所定最大幅となる位置から最下位置の所定最小幅となる位置まで前記所定の上下寸法だけ延びる、前記所定面積を有する布状（シート状）をなす後側外布部を構成している。
【００１９】
＜股部＞
股部１３は、通常の女性用下着の股布又はクロッチに相当する部材又は部分である一方で、着用者の股間部（典型的には、恥骨の上端付近の位置から尾骨の位置付近まで股間部の前後方向に延びる部分であって、少なくとも、女性器の露出部全体を包含する部分）の全体を覆う所定形状並びに所定の寸法（長さ方向寸法及び幅方向寸法）並びに所定面積を有している。また、股部１３の前記所定形状は、着用者の股間部に対応する外形及び輪郭のシート形状であって、左右方向に延びる所定曲率の湾曲状の前縁１３ａ、前縁１３ａの左右両端から後方に直線状に延びる左右一対の側縁１３ｂ、左右一対の側縁１３ｂの後端を連結するよう左右方向に延びる所定曲率の湾曲状の後縁１３ｃとからなる平面形状である。即ち、股部１３は、左右一対の側縁１３ｂが、前記前縁１３ａ及び後縁１３ｃ間でその長さ方向（股間部の前後方向）の中央部に向かって曲線的に縮径するシート状である。なお、股部１３の前縁１３ａは、前身頃部１１の下縁１１ｄに（縫合等によって）接合される端縁であって、前身頃部１１の下縁１１ｄに整合する寸法及び輪郭形状を有しており、左右方向に延びる直線状の輪郭形状を有している。
【００２０】
また、股部１３の左右一対の側縁１３ｂは、着用者の脚の付け根の内側部（大腿部の付け根と女性器の外性器若しくは陰部との間の境界線部分）の湾曲形状に対応して湾曲状に延びるよう設けられている。更に、股部１３の後縁１３ｃは、後身頃部１２の下縁１２ｄに（縫合等によって）接合される端縁であって、後身頃部１２の下縁１２ｄに整合する寸法及び輪郭形状を有しており、左右方向に延びる直線状の輪郭形状を有している。また、股部１３の前記長さ方向寸法は、（着用者の股間部に沿った前後方向の曲線方向の寸法として）着用者の股間の前側にある恥骨の上端付近の位置から股間の後側にある尾骨の位置付近まで延びる前後寸法となっている。更に、股部１３の前記面積は、前記所定形状及び前記所定寸法により規定される所定面積となっている。このように、股部１３は、その前後両縁を曲線状とすると共に左右両側縁を曲線状とし、前記所定形状で最前側位置の所定幅となる位置から前後中央位置の所定最小幅となる位置まで延びた後に最後側位置の所定幅となる位置まで前記所定の前後寸法だけ延びる、前記所定面積を有する布状（シート状）をなす外側股布部を構成している。なお、股部１３の最前側位置の所定幅と最後側位置の所定幅とは、前身頃部１１の下縁１１ｄの寸法及び後身頃部１２の下縁１２ｄの寸法に対応して、最前側位置を所定最大幅とし、最後側位置を（前記最前側位置の幅よりも若干小さい）所定中間幅としたり、逆に、最後側位置を所定最大幅とし、最前側位置を（前記最後側位置の幅よりも若干小さい）所定中間幅としたりすることができる。
【００２１】
外側被覆部１０は、上記構造の前身頃部１１の左右一対の側縁１１ｂと後見頃部１２の左右一対の側縁１２ｂとを（縫製等により）互いに接合すると共に、前身頃部１１の下縁１１ｄ及び後見頃部１２の下縁１２ｄにそれぞれ股部１３の前縁１３ａ及び後縁１３ｃを（縫製等により）接合することにより図２に示す一体構造に形成される。
【００２２】
［内側被覆部］
図３（ｂ）（内側被覆部２０の展開図）に示すように、内側被覆部２０は、前記外側被覆部１０のシート素材よりも低い伸び率を有する非伸長性シート素材又は低伸長性シート素材により、女性の下腹部の左右方向中央部を覆う前側部２１と、女性の臀部の左右方向中央部を覆う後側部２２と、前側部２１及び後側部２２間に設けられて女性の股間部のうち少なくとも膣前庭を包含する範囲である圧接範囲を覆う中央部２３とを備える所定形状に形成され、外側被覆部１０の前身頃部１１の内面の左右方向中央部に前側部２１を配置し、外側被覆部１０の後身頃部１２の内面の左右方向中央部に後側部２２を配置し、外側被覆部１０の股部１３の内面に中央部２３を配置した積層状態で、外側被覆部１０の内面に接合される。内側被覆部２０は、本実施の形態の女性用下着１の支持芯材部を構成するものであり、骨盤臓器脱用の女性用下着としての特有の機能を発揮する構成部材又は構成要素である。内側被覆部２０のうち、前側部２１及び後側部２２は、それぞれ、股上の丈が長い前記外側被覆部１０の前見頃部１１及び後見頃部１２と同一の丈、即ち、中央部２３から着用者の骨盤の腸骨陵上端の高さ位置まで延びる丈を有している。また、外側被覆部１０の開口部１５に対応する部分である左右一対の開口部２５（即ち、前側部２１及び後側部２２の左右両側縁と中央部２３の左右両側縁との間に形成される左右一対の開口部）は、前側部分がいわゆるハイレグのライン構成を有しており、後側部分がいわゆるＴバック状のバックスタイルを有している。なお、外側被覆部１０の開口部１５の後側部分は、（Ｔバックよりもカットが緩い）ブラジリアンカット状若しくはリオカット状とすることも可能である。また、本実施の形態では、内側被覆部２０は、１枚のシート素材から所定形状及び所定寸法に形成した所定の一体構造構成となっているが（即ち、前側部２１、後側部２２及び中央部２３を同一のシート素材で一連のシート状となるよう連続的に形成しているが）、後述するように、前記前側部２１、後側部２２及び中央部２３をそれぞれ別個のシート素材から形成した別体構成とし、それらを接合端縁で縫製等により接合して所定の一体構造となるようにすることも可能である。
【００２３】
＜前側部＞
前側部２１は、外側被覆部１０の前見頃部１１の内面側の左右方向中央部に配置されて上下方向に延びる構成部分又は構成要素である。図３（ｂ）中の左側の二点鎖線（仮想線）は、図３（ａ）中の外側被覆部１０の前身頃部１１と股部１３との間の境界線に対応する位置の境界線２１ｄを示す一方、図３（ｂ）中の右側の二点鎖線（仮想線）は、図３（ａ）中の外側被覆部１０の後身頃部１２と股部１３との間の境界線に対応する位置の境界線２２ｄを示している。即ち、内側被覆部２０は、図示の例では前側部２１、後側部２２及び中央部２３を同一のシート素材で一連のシート状となるよう連続的に形成しているため、前側部２１と股部２２との間、及び、後側部２２と中央部２３との間には、外側被覆部１０の境界線（即ち、下縁１１ｄ及び下縁１２ｄ）に相当する境界線は視認されないが、以下では、説明の便宜上、内側被覆部２０の境界線２１ｄ及び境界線２２ｄを、それぞれ、外側被覆部１０の境界線（即ち、下縁１１ｄ及び下縁１２ｄ）に相当する境界線として説明する。
【００２４】
まず、内側被覆部２０の前側部２１は、図３（ｂ）では、左側の境界線２１ｄよりも左側の部分であって、女性用下着１の着用者の腹部のうち、下腹部の前記前側部分の左右方向中央部を覆う所定形状並びに所定寸法及び所定面積を有している。また、前側部２１の前記所定形状は、着用者の下腹部の前側部分の左右方向中央部の一定領域に対応する外形及び輪郭のシート形状であって、左右方向（ウエスト方向）に直線状に延びる上縁２１ａ、上縁２１ａの左右両端から下方（股間に向かう方向）に直線状に延びる左右一対の側縁２１ｂ、左右一対の側縁２１ｂの下端からそれぞれ内方に向かって傾斜して延びる左右一対の所定曲率の湾曲状の傾斜縁２１ｃ、及び、傾斜縁２１ｃの内端を連結するよう左右方向に延びる所定曲率の湾曲状の下縁を構成する境界線２１ｄ（以下、「下縁２１ｄ」という。）とからなる平面略六角形状である。ここで、前側部２１の上縁２１ａは、左右方向に延びる直線状の輪郭形状を有している。具体的には、前側部２１の上縁２１ａは、外側被覆部１０の前身頃部１１の上縁１１ａと対応する端縁（及び、前身頃部１１ａの上縁１１ａと同一ラインを構成するように前記ウエストバンド部３０の下縁に縫合等により接合される端縁）を構成しており、前身頃部１１の上縁１１ａに対応する寸法及び輪郭形状を有している。また、前側部２１の左右一対の側縁２１ｂは、上下方向に延びる短い直線状の輪郭形状を有している。更に、前側部２１の左右一対の傾斜縁２１ｃは、着用者の脚の付け根よりも上方にある下腹部の前側部の所定の中間位置の輪郭に沿って延びる湾曲傾斜状の輪郭形状を有しており、前側部２１が着用者の下腹部の前側部を、前記所定の中間位置まで覆うようになっている。
【００２５】
より詳細には、前側部２１の左右一対の傾斜縁２１ｃは、それぞれ、着用者の骨盤の左右一対の腸骨の前側の突出部である上前腸骨棘（骨盤の左右の腸骨の前側乃至表側において前方に突出している部分であって、腹部の外側から手で触ることのできる部分）の所定高さ位置（例えば、上前腸骨棘の上端位置又は中間位置又は下端位置）から股間位置まで、着用者の大腿部の付け根より上方にある下腹部の前側部分の前記所定の中間位置の湾曲面に沿って延びるよう設けられている。更に、前側部２１の下縁２１ｄは、外側被覆部１０の前身頃部１１の下縁１１ｄに相当し、着用者の股間の前端縁に沿って左右方向に延びる若干の湾曲線状（即ち、下縁１１ｄと同一曲率）の端縁乃至境界線を構成している。また、前側部２１の前記寸法のうち高さ寸法は、外側被覆部１０の前身頃部１１と同一高さ寸法であり、（着用者の下腹部に沿った曲線方向の寸法として）着用者の骨盤の腸骨陵上端の高さ位置から股間部の前端位置（即ち、股間部の前側の上端位置）まで延びる上下寸法となっている。更に、前側部２１の前記面積は、前記所定形状及び前記所定寸法により規定される所定面積となっている。このように、前側部２１は、その上縁２１ａを直線状とすると共に左右両側の傾斜縁２１ｃを曲線状とし、前記所定形状で最上位置の所定最大幅となる位置から最下位置の所定最小幅となる位置まで前記所定の上下寸法だけ延びる、前記所定面積を有する布状（シート状）をなす前側内布部を構成している。
【００２６】
一方、前側部２１の面積は、外側被覆部１０の前身頃部１１の面積よりも、その傾斜縁２１ｃと前身頃部１１の傾斜縁１１ｃとの間の面積分だけ小さくなっており、外側被覆部１０の前身頃部１１が、内側被覆部２０の前側部２１の傾斜縁２１ｃの左右両側に拡大して延設されるようになっている。換言すれば、内側被覆部２０の前側部２１は、左右一対の傾斜縁２１ｃが、着用者の脚の付け根の前側部の輪郭から内側に所定距離だけ離れた位置に沿って延びる湾曲傾斜状の輪郭形状を有しており、外側被覆部１０の前身頃部１１が、着用者の下腹部の前側部の左右方向中央部を、着用者の脚の付け根部分より前記所定距離だけ離れた位置まで（即ち、内側被覆部２０の前側部２１の傾斜縁２１ｃが存在する鼠蹊部の手前の位置まで）覆うようになっている。また、前側部２１は、下側部分の湾曲傾斜状をなす左右一対の傾斜縁２１ｃの傾斜率が、外側被覆部１０の前身頃部１１の傾斜縁１１ｃの傾斜率と比較して、より大きな傾斜率となっており、傾斜縁２１ｃが傾斜縁１１ｃよりも所定の角度だけ鋭角の傾斜状となっている。即ち、前側部２１の下側部分の湾曲傾斜状をなす左右一対の傾斜縁２１ｃは、着用者の脚の付け根より上方の位置で延びるような輪郭形状、具体的には、着用者の前側部分である下腹部において脚の付け根とウエストラインとの間の部分を曲線的に延びるような輪郭形状を有しており、この輪郭形状を持って前側部２１が着用者の下腹部の前側部の左右方向中央部分を覆うようになっており、前側部２１の左右一対の傾斜縁２１ｃが、それぞれ、着用者の骨盤の左右一対の腸骨陵の上端付近の位置（上記のような上前腸骨棘の所定高さ位置）から股間位置まで、着用者の下腹部の前側半部の（脚の付け根とウエストラインとの間の）前記中間部分の湾曲面に沿って延びるよう設けられている。
【００２７】
＜後側部＞
後側部２２は、外側被覆部１０の後見頃部１２の内面側の左右中央部に配置されて上下方向に延びる構成部分又は構成要素である。まず、内側被覆部２０の後側部２２は、図３（ｂ）では、右側の境界線２２ｄよりも右側の部分であって、女性用下着１の着用者の臀部の左右方向中央部を覆う所定形状並びに所定寸法及び所定面積を有している。また、後側部２２の前記所定形状は、着用者の下腹部の後側部分の左右方向中央部の一定領域に対応する外形及び輪郭のシート形状であって、左右方向（ウエスト方向）に直線状に延びる上縁２２ａ、上縁２２ａの左右両端から下方（股間に向かう方向）に直線状に延びる左右一対の側縁２２ｂ、左右一対の側縁２２ｂの下端からそれぞれ内方に向かって傾斜して延びる左右一対の所定曲率の湾曲状の傾斜縁２２ｃ、及び、傾斜縁２２ｃの内端を連結するよう左右方向に延びる所定曲率の湾曲状の下縁を構成する境界線２２ｄ（以下、「下縁２２ｄ」という。）とからなる平面略六角形状である。ここで、後側部２２の上縁２２ａは、左右方向に延びる直線状の輪郭形状を有している。具体的には、後側部２２の上縁２２ａは、外側被覆部１０の後身頃部１２の上縁１２ａと対応する端縁（及び、後身頃部１２ａの上縁２１ａと同一ラインを構成するように前記ウエストバンド部３０の下縁に縫合等により接合される端縁）を構成しており、後身頃部１２の上縁１２ｂに対応する寸法及び輪郭形状を有している。また、後側部２２の左右一対の側縁２２ｂは、上下方向に延びる短い直線状の輪郭形状を有している。更に、後側部２２の左右一対の傾斜縁２２ｃは、着用者の大腿骨の大転子の上端付近の位置又は大転子の上端より更に上方の位置から股間位置まで、着用者の臀部の湾曲面に沿って（典型的には、臀部の左右の大臀筋の対向縁である内縁にほぼ対応する位置に沿って）延びるよう設けられている。即ち、後側部２２の左右一対の傾斜縁２２ｃは、着用者の臀部の所定の中間位置（典型的には、臀部の左右の大臀筋の対向縁である内縁にほぼ対応する位置）の輪郭に沿って延びる湾曲傾斜状の輪郭形状を有しており、後側部２２が着用者の臀部を、前記所定の中間位置まで覆うようになっている。
【００２８】
より詳細には、後側部２２の左右一対の傾斜縁２２ｃは、それぞれ、着用者の骨盤の左右一対の腸骨の後側の突出部である上後腸骨棘（骨盤の左右の腸骨の後側乃至裏側において後方に突出している部分であって、臀部の上端側又は腰部付近の外側から手で触ることのできる部分）の所定高さ位置（例えば、上後腸骨棘の上端位置又は中間位置又は下端位置）から股間位置まで、着用者の臀部の前記所定の中間位置の湾曲面に沿って延びるよう設けられている。更に、後側部２２の下縁２２ｄは、外側被覆部１０の後身頃部１２の下縁１２ｄに相当し、着用者の股間の後端縁に沿って左右方向に延びる若干の湾曲線状（即ち、下縁１２ｄと同一曲率）の端縁乃至境界線を構成している。また、後側部２２の前記寸法のうち高さ寸法は、外側被覆部１０の後側部２２と同一高さ寸法であり、（着用者の臀部に沿った曲線方向の寸法として）着用者の骨盤の腸骨陵上端の高さ位置から股間部の後端位置（即ち、股間部の後側の上端位置）まで延びる上下寸法となっている。更に、後側部２２の前記面積は、前記所定形状及び前記所定寸法により規定される所定面積となっている。このように、後側部２２は、その上縁２２ａを直線状とすると共に左右両側の傾斜縁２２ｃを曲線状とし、前記所定形状で最上位置の所定最大幅となる位置から最下位置の所定最小幅となる位置まで前記所定の上下寸法だけ延びる、前記所定面積を有する布状（シート状）をなす後側内布部を構成している。
【００２９】
一方、後側部２２の面積は、外側被覆部１０の後身頃部１２の面積よりも、その傾斜縁２２ｃと後身頃部１２の傾斜縁１２ｃとの間の面積分だけ小さくなっており、外側被覆部１０の後身頃部１２が、内側被覆部２０の後側部２２の傾斜縁２２ｃの左右両側に拡大して延設されるようになっている。換言すれば、内側被覆部２０の後側部２２は、左右一対の傾斜縁２２ｃが、着用者の臀部の大臀筋の外側縁位置付近から内側に所定距離だけ離れた位置に沿って延びる湾曲傾斜状の輪郭形状を有しており、外側被覆部１０の後身頃部１２が、着用者の臀部の左右方向中央部を、着用者の臀部の両側縁位置付近より前記所定距離だけ離れた位置まで（即ち、内側被覆部２０の前側部２１の傾斜縁２１ｃが存在する臀部の左右方向中央部の直近位置まで）覆うようになっている。また、後側部２２は、下側部分の湾曲傾斜状をなす左右一対の傾斜縁２２ｃの傾斜率が、外側被覆部１０の後身頃部１２の傾斜縁１２ｃの傾斜率と比較して、より大きな傾斜率となっており、傾斜縁２２ｃが傾斜縁１２ｃよりも所定の角度だけ鋭角の傾斜状となっている。即ち、後側部２２の下側部分の湾曲傾斜状をなす左右一対の傾斜縁２２ｃは、着用者の臀部の左右方向中央部の位置で延びるような輪郭形状、具体的には、着用者の後側部分である臀部において脚の付け根とウエストラインとの間の部分を曲線的に延びるような輪郭形状を有しており、この輪郭形状を持って後側部２２が着用者の臀部の左右方向中央部分を覆うようになっており、後側部２２の左右一対の傾斜縁２２ｃが、それぞれ、着用者の骨盤の左右一対の腸骨陵の上端付近の位置（上記のような上後腸骨棘の所定高さ位置）から股間位置まで、着用者の臀部の（脚の付け根とウエストラインとの間の）前記中間部分の湾曲面に沿って延びるよう設けられている。
【００３０】
＜中央部＞
中央部２３は、外側被覆部１０の股部１３の内面側の左右方向中央部に配置されて上下方向に延びる構成部分又は構成要素である。まず、内側被覆部２０の中央部２３は、図３（ｂ）では、左右の境界線２１ｄ及び境界線２２ｄ間の部分であって、女性用下着１の着用者の股間部の左右方向中央部を覆う所定形状並びに所定寸法（長さ方向寸法及び幅方向寸法）及び所定面積を有している。また、中央部２３の前記所定形状は、着用者の股間部の左右方向中央部（典型的には、股間部における女性器の外性器部分を完全に包含する部分）に対応する外形及び輪郭のシート形状であって、左右方向に延びる所定曲率の湾曲状の前縁（図３（ｂ）において前側部２１の下縁２１ｄと一致する端縁であって、以下、説明の便宜上「前縁２１ｄ」という。）、前縁２１ｄの左右両端から後方に直線状に延びる左右一対の側縁２３ａ、左右一対の側縁２３ａの後端を連結するよう左右方向に延びる所定曲率の湾曲状の後縁（図３（ｂ）において後側部２２の下縁２２ｄと一致する端縁であって、以下、説明の便宜上「後縁２２ｄ」という。）とからなる平面形状である。即ち、中央部２３は、左右一対の側縁２３ｂが、前記前縁２１ｄ及び後縁２２ｄ間でその長さ方向（股間部の前後方向）にほぼ直線的に互いに平行に延びるシート状である。詳細には、中央部２３の左右一対の側縁２３ａは、前縁２１ｄから後方へ若干縮径して所定長だけ延びる左右一対の前側部分と、後縁２２ｄから前方へ若干縮径して所定長だけ延びる左右一対の後側部分と、前記前側部分と後側部分との間をほぼ平行に延びる左右一対の中央部分とからなる。
【００３１】
具体的には、中央部２３の側縁２３ａの前側部分では、一対の前側部分が、前縁２１ｄから後方へと互いに接近するよう傾斜して延びている。なお、中央部２３の側縁２３ａの前側部分は、前縁２１ｄから後方へと、例えば、中央部２３の全長の５〜２０％の範囲内、好ましくは、５〜１５％の範囲内、より好ましくは、５〜１０％の範囲内、更に好ましくは約１０％の所定長だけ設けられる。また、中央部２３の側縁２３ａの後側部分では、一対の後側部分が、後縁２２ｄから前方へと互いに接近するよう傾斜して延びている。なお、中央部２３の側縁２３ａの後側部分は、後縁２２ｄから前方へと、例えば、中央部２３の全長の１０〜４０％の範囲内、好ましくは、１５〜３５％の範囲内、より好ましくは、２０〜３０％の範囲内、更に好ましくは約３０％の所定長だけ設けられる。そして、中央部２３の側縁２３ａの中央部分では、一対の中央部分が、前側部分と後側部分との間を互いに平行となるよう直線状に延びている。なお、中央部２３の側縁２３ａの中央部分は、中央部２３の全長から前記前側部分及び後側部分の合計長を除いた所定長だけ設けられるが、好ましくは、着用者の股間部の外性器の前後寸法（外性器の前端から後端までの長さ）と一致する寸法、又は、当該一致する寸法よりも所定長だけ大きな寸法だけ設けられる。例えば、中央部２３の側縁２３ａの中央部分は、着用者の股間部の外性器の前後寸法の１００〜１６０％の範囲内、好ましくは、１１０〜１５０％の範囲内、より好ましくは１２０〜１４０%の範囲内の所定長として設けられる。
【００３２】
更に、中央部２３の側縁２３ａは、その中央部分の前端位置が、着用者の外性器の前端と一致する位置又は当該一致する位置よりも所定長だけ前方の位置にくるよう、かつ、その中央部分の後端位置が、着用者の外性器の後端と一致する位置又は当該一致する位置よりも所定長だけ後方の位置にくるよう、前記前側部、中央部及び後側部のそれぞれの長さの比率を設定している。なお、中央部２３の前記長さ方向寸法は、前記外側被覆部１０の中央部２３の長さ方向寸法に対応して設定されている。（通常は、同一に設定されている。）また、中央部２３の前記面積は、前記所定形状及び前記所定寸法により規定される所定面積となっている。このように、中央部２３は、その前後両縁及び左右両側縁を上記形状とし、前記所定形状で最前側位置の所定幅となる位置から前後中央部分の所定最小幅となる位置まで延びた後に最後側位置の所定幅となる位置まで前記所定の前後寸法だけ延びる、前記所定面積を有する布状（シート状）をなす内側股布部を構成している。
【００３３】
内側被覆部２０は、上記構造の前側部２１の左右一対の側縁２１ｂと後側部２２の左右一対の側縁２２ｂとを（縫製等により）互いに接合すると共に、前側部２１の下縁２１ｄ及び後側部２２の下縁２２ｄにそれぞれ中央部２３の前縁及び後縁を（縫製等により）接合することにより図２に示す一体構造に形成される。
【００３４】
［外側被覆部の材質］
一般に、女性用下着としてのパンティーの生地は、（比較的大きな形状変化を伴わない下腹部の前面を覆う）前身頃に比較して、（比較的大きな形状変化を伴う臀部を覆う）後身頃に相対的に大きな伸張性を必要とするため（即ち、前身頃よりも後身頃を相対的に大きな伸縮性を有する生地で形成する必要があるため）、前身頃には、天竺、ベア天竺、フライス、トリコット等の比較的伸縮性が小さい生地を使用すると共に、後身頃には、綿とポリウレタンとを混紡してなるストレッチ天竺、フライス、ツーウェイトリコット、パワーネット等の比較的伸縮性の大きな生地を使用する。一方、股部（クロッチ）は、通常、二重構造（二層構造）の生地により構成され、例えば、前身頃の生地と同様の生地により形成することができる。そして、本実施の形態では、外側被覆部１０は、前見頃部１１、後見頃部１２及び股部１３を、それぞれ、従来の生地と同様の生地で構成することができる。なお、前見頃部１１、後見頃部１２及び股部１３は、それぞれ、別個の生地又は布片又はシート片により前記所定形状並びに前記所定寸法及び前記所定面積となるように形成し、それらの相互の接合端縁部を縫製等の接合手段により接合してもよいが、前見頃部１１、後見頃部１２及び股部１３を、シームレス処理（即ち、立体編みにより、継ぎ目や縫い目がないものとして処理）することで一体的な外側被覆部１０を構成するよう形成したり、ヘム処理（即ち、レースや縫い目なしに端を処理）したりすることで一体的な外側被覆部１０を構成するよう形成することも可能である。或いは、前身頃部１１及び後身頃部１２を一体構成のシート片に形成すると共に、そのシート片を後身頃部１２の左右中央位置で二分割した形状に形成し、その位置で縫製等により接合してもよい。
【００３５】
［内側被覆部の材質］
これに対し、本実施の形態では、内側被覆部２０は、前側部２１、後側部２２及び中央部２３を、上記のように、全て同一の生地で形成したり、それぞれ別個の生地で形成したりすることができるが、外側被覆部１０のシート素材（特に、前見頃部１１及び後見頃部１２のシート素材）よりも低い伸長性を有するシート素材により形成される。詳細には、内側被覆部２０は、全体として（特に、女性用下着の上下方向において）容易に伸長しない非伸長性又は低伸長性の１枚のシート状となるよう、所定の生地を使用して１枚のシート状となるように形成することが好ましい。詳細には、シート状の生地の物性として、所定の引張力を加えたときの生地の伸び率（即ち、引張伸度）、及び、前記引張力を解放したときの生地の戻り率（即ち、収縮率、又は、伸長回復率乃至伸長弾性率）とがある。そして、本実施の形態では、内側被覆部２０は、その物性として、特に、伸び率が所定の外力に対して１．５〜３０％の範囲内、好ましくは、３〜２５％の範囲内、より好ましくは５〜１５％の範囲内、更に好ましくは、５〜１０％の範囲内となるよう、所定の生地又はシート素材を使用して上記所定形状に一体形成される。なお、かかる非伸長性又は低伸長性のシート素材としては、伸び率の低い順に、麻（糸の状態での伸び率が例えば１．５〜２．３％）、綿（糸の状態での伸び率が例えば３〜７％）、ポリノジック（糸の状態での伸び率が例えば７〜１４％）、キュプラ（糸の状態での伸び率が例えば１０〜１７％）、一般的な天竺（生地の状態での伸び率が例えば約６０％）よりも低伸び率の低伸天竺（生地の状態での伸び率が例えば約３０％）、トリコット乃至スリップ生地（生地の状態での伸び率が例えば約３０％）等がある。
【００３６】
また、かかる非伸長性又は低伸長性のシート素材としては、芯地を使用して伸び率を上記のような伸び率とすることもできるが、この場合、芯地の表面及び裏面の双方、又は、（特に、着用者の肌と接触する）裏面（内面）側に通常の（肌触りの良い）生地を接着等により貼付したシート素材を使用することが好ましい。即ち、本発明では、「１枚のシート素材」とは、複数層構造のシート素材をも含む概念であり、外観上１枚のシート状として把握されるものを含む概念である。なお、伸び率は、（ヤング率とも呼ばれる）弾性率とは異なる物性であり、上記の非伸縮性又は低伸縮性とは、非弾性又は低弾性とは異なる概念である。したがって、内側被覆部２０の非伸縮性又は低伸縮性のシート素材としては、高い弾性率を有する素材であっても、伸び率が上記の範囲内にあるものであれば、任意のシート素材を使用することができる。例えば、弾性シート素材であっても、上記のように低い伸び率を有するものであれば任意のシート素材を使用することができる。この場合、かかる弾性シート素材は、戻り率について、５％以内の伸長回復率、好ましくは、３％以内の伸長回復率、より好ましくは、２％以内の伸長回復率、更に好ましくは、１％以内の伸長回復率となるよう、所定の生地又はシート素材を使用して上記所定形状に一体形成することが望ましい。
【００３７】
上記のとおり、内側被覆部２０は、非伸長性又は低伸長性のシート素材により上記形状となるよう形成されて、その前側部２１及び後側部２２による上方への引っ張り力によって中央部２３の内面を着用者の女性器の外性器の所定範囲（特に、膣口周辺部位又は膣前庭の範囲）に所定の押圧力で圧接させることにより、骨盤臓器脱の場合における骨盤内臓器が着用者の外性器から外部に脱するのを阻止する圧接支持部を構成するが、外側被覆部１０は、内側被覆部２０より高い伸長性（及び、部位に応じて通常の女性用下着と同様の高い伸縮性）を有するシート素材により上記形状となるよう形成されて、内側被覆部２０の外側で、前身頃部１１により（内側被覆部２０の前側部２１の外側の）着用者の下腹部を柔軟性及び弾性をもって支持し、かつ、後身頃部１２により（内側被覆部２０の後側部２２の外側の）着用者の臀部を柔軟性及び弾性をもって支持して、着用者の装着感を向上する装着感向上部を構成している。なお、外側被覆部１０の股部１３も、内側被覆部２０の中央部２３より高い伸長性（及び、部位に応じて通常の女性用下着と同様の高い伸縮性）を有するシート素材により上記形状となるよう形成されて、内側被覆部２０の外側で、股部１３により（内側被覆部２０の中央部２３の外側の）着用者の股間部に柔軟性をもって当接又は近接して、着用者の装着感を向上する装着感向上部を構成している。
【００３８】
［内側被覆部の傾斜縁］
ここで、前記内側被覆部２０の前側部２１の左右一対の傾斜縁２１ｃは、その下端位置（下縁２１ｄの位置）から上端位置（上縁２１ａの位置）まで、ほぼ同一の曲率で湾曲して延びる一つの連続的な湾曲縁となるよう構成されている。一方、後側部２２の左右一対の傾斜縁２２ｃは、その下端位置（下縁２２ｄの位置）から上端位置（上縁２２ａの位置）までが、ほぼ同一の曲率で湾曲して延びる１つの連続的な湾曲縁となるようには構成されておらず、異なる曲率の２つの湾曲縁からなる傾斜縁（第１の傾斜縁２２ｃ１及び第２の傾斜縁２２ｃ２）からなるように構成されている。詳細には、本実施の形態では、後側部２２の傾斜縁２２ｃのうち、第１の傾斜縁２２ｃ１は、下縁２２ｄから第１の距離だけ、第１の勾配で上方（上縁２２ａに向かう方向）に延びる曲線状をなしている。また、後側部２２の第２の傾斜縁２２ｃ２は、第１の傾斜縁２２ｃ１の上端位置から上縁２２ａに至る第２の距離だけ（即ち、第１の傾斜縁２２ｃ１の上端から上縁２２ａまで）、第２の勾配で上方に延びる曲線状をなしている。具体的には、後側部２２の傾斜縁２２ｃのうち、第１の傾斜縁２２ｃ１の延設寸法である第１の距離は、下縁２２ｄの位置から、垂直方向（即ち、上縁２２ａと直行する方向）において、傾斜縁２２ｃの全体の高さ寸法の２０〜４０％の範囲内、好ましくは、２５〜３５％の範囲内、より好ましくは、２７〜３３％の範囲内、更に好ましくは約３０％の距離に設定される。よって、後側部２２の第２の傾斜縁２２ｃ２の第２の距離は、残りの距離（即ち、垂直方向において、傾斜縁２２ｃの全体の高さ寸法の８０〜６０％の範囲内、好ましくは、７５〜６５％の範囲内、より好ましくは、７３〜６７％の範囲内、更に好ましくは７０％の距離）に設定される。（即ち、後側部２２の傾斜縁２２ｃにおいて、第１の傾斜縁２２ｃ１と第２の傾斜縁２２ｃ２との高さ寸法の比率は、１：５〜２：５の範囲内、好ましくは、１：４〜７：１３の範囲内、等々、上記の第１の傾斜縁２２ｃ１及び第２の傾斜縁２２ｃ２の高さ寸法範囲の好適範囲にしたがって決定される。）
【００３９】
また、後側部２２の傾斜縁２２ｃの傾斜角度や曲率（以下、これらを総称して「勾配」という。）において、第１の傾斜縁２２ｃ１の第１の勾配（即ち、曲線状の第１の傾斜縁２２ｃ１の曲率）は、中央部２３の側縁２３ａのうち前記後縁２２ｄ近傍の湾曲部分の曲率とほぼ同一の曲率又は若干大きな勾配（即ち、曲率）に設定されており、第１の傾斜縁２２ｃ１が、中央部２３の側縁２３ａからほぼ同一の曲率又は若干大きな曲率で連続的に延びる一連の曲線を形成するよう構成されている。一方、後側部２２の第２の傾斜縁２２ｃ２の第２の勾配（即ち、曲線状の第２の傾斜縁２２ｃ２の曲率）は、第１の傾斜縁２２ｃ１の第１の勾配よりも大きな勾配（即ち、より大きな曲率）に設定されている。具体的には、後側部２２の傾斜縁２２ｃの全体を第１の傾斜縁２２ｃ１の第１の勾配に設定した場合、傾斜縁２２ｃの上端は、上縁２２ａの左右方向の中央位置と左右方向両端との間の位置（例えば、左右方向中央位置から左右方向右端又は左端に向かって約１／４や約１／３等の位置）に配置されることになるが、本実施の形態では、第２の傾斜縁２２ｃ２は、その上端が（即ち、所定高さ方向寸法で所定勾配の第１の傾斜縁２２ｃ１に連続して延びる上端が）、左右の側縁２２ｂの下端（即ち、上縁２２ａの左右方向の両端に対応する位置）に配置されるよう、（第１の傾斜縁２２ｃ１の高さ寸法及び勾配を前提条件として）その第２の勾配を設定している。なお、後側部２２の第２の傾斜縁２２ｃ２の勾配は、前側部２１の傾斜縁２１ｃの勾配と比較しても、より大きな勾配となっている。
【００４０】
なお、後側部２２の傾斜縁２２ｃは、勾配の異なる２以上の傾斜縁により構成する限りにおいて、上記のように曲線状の第１及び第２の傾斜縁２２ｃ１及び２２ｃ２とする以外に、任意の傾斜縁により構成することができる。例えば、なお、後側部２２の左右一対の傾斜縁２２ｃの各々の２つの傾斜縁２２ｃ１及び２２ｃ２は、（前縁２１ｄ側の）１つの直線縁に（後縁２２ｄ側の）１つの湾曲縁を連続させた２つの傾斜縁、又は、（前縁２１ｄ側の）１つの直線縁に（後縁２２ｄ側の）別の１つの直線縁を連続させた２つの傾斜縁、又は、（前縁２１ｄ側の）１つの湾曲縁に（後縁２２ｄ側の）１つの直線縁を連続させた２つの傾斜縁から構成することもできる。或いは、３つ以上の勾配の異なる曲線及び／又は直線の組み合わせにより、後側部２２の傾斜縁２２ｃを構成することもできる。いずれの場合も、後側部２２の上縁２２ａに近い側の傾斜縁の勾配は、後側部２２の上縁２２ａから遠い側の傾斜縁の勾配よりも大きな勾配に設定する。
【００４１】
［外側被覆部への内側被覆部の接合］
図２のように一体構造とされた外側被覆部１０の内面の所定部位に、図２のように一体構造とされた内側被覆部２０が一体的に接合され、外側被覆部１０の内面の所定領域に重ね合わされる。詳細には、図４に示すように、内側被覆部２０は、外側被覆部１０と同一の高さ寸法（上下方向寸法）を有しており、内側被覆部２０の前側部２１の上縁２１ａを外側被覆部１０の前身頃部１１の上縁１１ａに整合して一致させると共に、内側被覆部２０の後側部２２の上縁２２ａを外側被覆部１０の後身頃部１２の上縁１２ａに整合して一致させる。すると、このとき、内側被覆部２０の前側部２１の左右一対の側縁２１ｂが、外側被覆部１０の前身頃部１１の左右一対の側縁１１ｂと整合して一致すると共に、内側被覆部２０の後側部２２の左右一対の側縁２２ｂが、外側被覆部１０の後身頃部１２の左右一対の側縁１２ｂと整合して一致する。また、このとき、内側被覆部２０の前側部２１の左右一対の傾斜縁２１ｃが、外側被覆部１０の前身頃部１１の左右一対の側縁１１ｂ及び左右一対の傾斜縁１１ｃの内側に所定距離だけ離間して配置されると共に、内側被覆部２０の後側部２２の左右一対の傾斜縁２２ｃが、外側被覆部１０の後身頃部１２の左右一対の側縁１２ｂ及び左右一対の傾斜縁１２ｃの内側に所定距離だけ離間して配置される。更に、このとき、内側被覆部２０の中央部２３の左右一対の側縁２３ａが、外側被覆部１０の股部１３の左右一対の側縁１３ｂの内側に所定距離だけ離間して配置される。この状態で、内側被覆部２０の接合代（縫製の場合は、縫い代）部分である前側部２１の傾斜縁２１ｃ及び中央部２３の側縁２３ａ及び後側部２２の傾斜縁２２ｃのそれぞれから一定幅をおいた位置を、当該位置の線に沿って、縫製等により外側被覆部１０の前身頃部１１及び股部１３及び後見頃部１２に縫製等により接合して固定することにより、連続線状の接合部（以下、「線状接合部」という。）３１，３２，３３，３４が形成され、この線状接合部３１，３２，３３，３４により、内側被覆部２０が外側被覆部１０の内面における所定部位に一体的に固定される。
【００４２】
ここで、この線状接合部は、図４に示すように、内側被覆部２０の前側部２１の傾斜縁２１ｃの全長に沿って傾斜縁２１ｃと（接合代の間隔を置いて）平行に設けられる第１の線状接合部３１と、中央部２３の側縁２３ａの全長に沿って側縁２３ａと（接合代の間隔を置いて）平行に設けられる第２の線状接合部３２と、後側部２２の傾斜縁２２ｃのうち第１の傾斜縁２２ｃ１の全長に沿って第１の傾斜縁２２ｃ１と（接合代の間隔を置いて）平行に設けられる第１の線状接合部３３と、第２の傾斜縁２２ｃ２の全長に沿って第２の傾斜縁２２ｃ２と（接合代の間隔を置いて）平行に設けられる第４の線状接合部３４とからなり、これら第１〜第４の線状接合部３１〜３４を一連の接合線となるよう、縫製等により形成したものである。
【００４３】
［ウエストバンド部］
ウエストバンド部３０は、前記積層状態の外側被覆部１０及び内側被覆部２０の上縁１１ａ，１２ａ，２１ａ，２２ａに接合される周回状をなし、着用者の腰部の所定高さ位置を弾性的に締め付けて、当該所定高さ位置に保持されることにより、内側被覆部２０の前側部２１及び後側部２３を介して中央部２３を着用者の股間部の前記圧接範囲に向かって引き上げて圧接させる。即ち、ウエストバンド部３０は、図１及び図２に示すように、一体構造とされた外側被覆部１０及び内側被覆部２０の前身頃部１１及び２１の上縁１１ａ及び２１ａから後身頃部１２及び２２の上縁１２ａ及び２２ａの全長にわたる長さで一定幅を有する周回帯状をなし、所定の高弾性率の弾性素材により形成されている。ウエストバンド部３０は、その原状態（外部から周方向の引っ張り力を加えない状態）で、着用者の腸骨陵の上端位置付近（例えば、前記上前腸骨棘及び上後腸骨棘の上端の直上位置）のウエストサイズと同等又は所定寸法だけ小さい周回長さを有している。そして、ウエストバンド部３０は、その下縁を、上記一体構造とした外側被覆部１０及び内側被覆部２０の上縁１１ａ，１２ａ，２１ａ，２２ａに（縫い代等の所定の接合代を介して）一体的に接合され、これにより、図１に示す一体構造の女性用下着１が完成する。なお、図５〜図１０は、それぞれ、完成状態の女性用下着１の表面側を示す六面図（正面図、背面図、右側面図、左側面図、平面図、底面図）であり、図１１〜図１７は、それぞれ、完成状態の女性用下着１の裏面側（内面側）を示す斜視図及び六面図（正面図、背面図、右側面図、左側面図、平面図、底面図）である。
【００４４】
［面的圧接支持手段］
ここで、本発明者は、骨盤臓器脱の骨盤内臓器が着用者の外性器から外部に脱するのを防止するためには、外側被覆部１０の内面に内側被覆部２０を積層して配設すると共に、内側被覆部２０の中央部２３により着用者の外性器部分を密接して押圧する一方で、骨盤内臓器の外性器からの脱出時の付勢力により内側被覆部２０の中央部２３の部分が下方に伸びること（これにより、骨盤内臓器が着用者の外性器から外部に脱するのを防止できなくなること）を効果的に抑制するためには、内側被覆部２０を上記のような（外側被覆部１０よりも低い伸長性を有する）非伸長性又は低伸長性のシート素材により一体形成することが有効であるとの知見を得た。そして、本発明者は、まず、この知見に基づき、女性用下着１において、非伸長性又は低伸長性のシート素材により一体形成されて、ウエストバンド部３０の前側部分の全体の下縁位置から後側部分の全体の下縁位置まで延びる内側被覆部２０の股間部２３により、（骨盤臓器脱等を防止するために）着用者の股間部の所定範囲を面的に圧接して支持するための面的圧接支持手段を構成している。
【００４５】
一方、本発明者は、図５に示すように、前記非伸長性又は低伸長性の内側被覆部２０を、（内側被覆部２０よりも高い伸長性の）外側被覆部１０の内面の前記所定部位に縫製等により接合する場合、内側被覆部２０が前記非伸長性又は低伸長性であることから、単に内側被覆部２０を外側被覆部１０に接合しただけでは、（伸長性が低い）内側被覆部２０が、着用者の体形（特に、下腹部から股間部を経て臀部に至る着用者の正中線に沿った部位の凹凸形状）に柔軟に追従せず、中央部２３が着用者の股間部の露出面（典型的には、圧接して押圧する必要のある部位である外性器表面、特には、膣口周辺部位）に圧接しないことがあるとの知見も合わせて得た。
【００４６】
そして、本発明者は、これらの知見に基づき、鋭意研究を続けた結果、上記のように、前記面的圧接支持手段を備えた内側被覆部２０において、外側被覆部１０の内面に、内側被覆部２０の端縁部（即ち、前側部２１の傾斜縁２１ｃ、中央部２３の側縁２３ａ及び後側部２２の傾斜縁２２ｃのそれぞれの端縁部）を、線状接合部３１〜３４を介して一体的に接合することにより、内側被覆部２０を外側被覆部１０の内面の所定部位に移動不能に安定して固定できることができ、かつ、女性用下着１を着用したときに、（着用者の腰部の定位置に固定された）ウエストバンド部３０からの引き上げ力を、内側被覆部２０の前側部２１及び後側部２２に効率良く（及び、引き上げ力を実質的に損失することなく）伝達し、前側部２１及び後側部２２を介して、中央部２３を前後の端縁（即ち、前縁２１ｄ及び後縁２２ｄ）から上方に引き上げて、着用者の外性器の露出面に押し当てることができるとの知見を得た。即ち、本発明者は、内側被覆部２０についえ、前記非伸長性シート素材又は低伸長性シート素材からなる前側部２１と中央部２３と後側部２３とを、ウエストバンド部３０の前側の少なくとも中央部の下縁位置から後側の少なくとも中央部の下縁位置まで一連の連続シート状として延設すると共に、前側部２１及び中央部２３及び後側部２２の延設方向に沿った両側の縁（傾斜縁２１ｃ、側縁２３ａ、傾斜縁２２ｃ）を、それぞれ、それらの縁に対応する線形状の線状接合部３１〜３４により、外側被覆部１０の前身頃部１１及び股部１３及び後身頃部１２に一体的に接合することで、前記伸縮性及び弾性を有するシート素材からなる外側被覆部１０により、前記内側被覆部の前側部及び中央部及び後側部を左右方向両側から引っ張り状態で保持して、前記外側被覆部の前身頃部及び股部及び後身頃部の左右方向中央部に保持し、かつ、前記非伸長性シート素材又は低伸長性シート素材からなる前記一連の連続シート状の前側部と中央部と後側部とを、前記ウエストバンド部による引き上げ力によって（伸長することなく）上方に引き上げることで、前記中央部を着用者の股間部の前記圧接範囲に圧接させることができるとの知見を得た。
【００４７】
この場合において、更に、本発明者は、前記面的圧接支持手段を備えた内側被覆部２０において、後側部２２の傾斜縁２２ｃを（上記第１の傾斜縁２２ｃ１及び第２の傾斜縁２２ｃ２のような）勾配の異なる複数の部分により構成すると共に、後側部２２の上縁２２ａに近い側の傾斜縁の勾配は、後側部２２の上縁２２ａから遠い側の傾斜縁の勾配よりも大きな勾配に設定し、当該傾斜縁２２ｃの異なる勾配に対応して（後側部２２における鉛直線に対する）第１〜第４の線状接合部３１〜３４の勾配を異ならせて、これら第１〜第４の線状接合部３１〜３４を介して、内側被覆部２０の後側部２２を外側被覆部１０の後身頃部１２に一体的に接合すると、内側被覆部２０が前記非伸長性又は低伸長性であっても、内側被覆部２０が、着用者の体形（特に、下腹部から股間部を経て臀部に至る着用者の正中線に沿った部位の凹凸形状）に追従して、中央部２３が着用者の股間部の露出面（典型的には、圧接して押圧する必要のある部位である外性器表面、特には、膣口周辺部位）に圧接するとの知見を得た。
【００４８】
典型的には、この場合、本実施の形態のように、後側部２２における鉛直線（後側部２２の上縁２２ａの左右方向中央位置と下縁２２ｄの左右方向中央位置とを結ぶ仮想線）に対する傾斜縁２２ｃの勾配については、傾斜縁２２ｃを勾配の異なる２つの部分に分けて、その勾配を途中で（即ち、所定の高さ位置で）変更すると共に、上縁２２ａ側の勾配を相対的に大きくすることによって、後側部２２に対して上縁２２ａから鉛直方向で上方への引っ張り力又は引き上げ力を加えたときに、当該勾配の異なる第１の傾斜縁２２ｃ１及び第２の傾斜縁２２ｃ２で異なる力又はベクトル（引き上げ方向が異なる力）を得ることができる。そして、本発明者は、後側部２２の傾斜縁２２ｃ全体における力又はベクトルは、これら勾配の異なる第１の傾斜縁２２ｃ１及び第２の傾斜縁２２ｃ２での異なる力又はベクトルからなる合成力又は合成ベクトルとなり、第１の傾斜縁２２ｃ１及び第２の傾斜縁２２ｃ２の相対的な勾配を変更することで、特に、傾斜縁２２ｃ全体での合成力又は合成ベクトルの方向を変更し、これによって、特に、後側部２２の中央部２３近傍（即ち、下縁２２ｄ近傍）の生地部分、及び、当該生地部分に隣接する中央部２３の生地部分における、生地の展張状態を制御できることを見出した。即ち、特に、内側被覆部２０が非伸長性又は低伸長性のシート素材製であることから、通常の下着の生地のようには上下左右方向に伸長又は伸縮せずに着用者の体形の凹凸等の柔軟に対応しないため（即ち、伸長又は伸縮によるフィット性は低いため）、本発明の女性用下着は、シート素材自体の伸長性又は伸縮性ではなく、シート素材の展張状態を制御して所望範囲部分を当該所望範囲部分に対向する着用者の体の部位（即ち、外性器の所望表面範囲、特に、膣前庭範囲）にできるだけ密接するようにしている。換言すれば、本発明の女性用下着は、かかる展張状態（即ち、当該所望範囲の外形乃至輪郭に内包される範囲のシート素材部分が、前後左右に展張した状態）を維持するような前記合成力又は合成ベクトルが得られるよう、前側部２１の傾斜縁２１ｃ及び後側部２２の傾斜縁２２ｃの傾斜角度を設定して調整制御している。
【００４９】
そして、本発明者は、このように所定部位の生地の展張状態を制御することで、女性用下着１の着用時に、着用者の股間部の露出面の所望範囲（特に、女性器を包含する範囲で、少なくとも、膣口及びその周辺の膣前庭を含む範囲）に対する中央部２３の圧接面積や押圧力や押圧方向を制御可能であるとの知見を得て、この知見に基づき、後側部２２の傾斜縁２２ｃの勾配を（前記第１の傾斜縁２２ｃ１及び第２の傾斜縁２２ｃ２を組み合わせることで）所定勾配となるようにしており、本実施の形態においても、この観点から、第１の傾斜縁２２ｃ１及び第２の傾斜縁２２ｃ２のそれぞれの高さ寸法と勾配とを設定している。即ち、後側部２２の傾斜縁２２ｃの勾配は、典型的には、本発明の女性用下着１の着用時に、中央部２３の内面が、着用者の股間部の外性器露出面の全範囲（特に、膣口周辺部位の全範囲）に対して実質的に隙間なく圧接され、かつ、中央部２３が、当該範囲を所定以上の押圧力（例えば、骨盤臓器脱において膣口から外部に脱しようとする骨盤内臓器を内部に押し留めるのに必要な圧力）で継続的に押圧できる勾配となるよう設定されている。即ち、内側被覆部２０の後側部２２は、ウエストバンド部３０の後側半部の下縁に一致する上縁２２ａと、上縁２２ａの左右両端から下方に伸びる一対の側縁２２ｂと、側縁２２ｂの下端から中央部２３まで所定の勾配で延びる左右一対の傾斜縁２２ｃとを有すると共に、左右一対の傾斜縁２２ｃを、それぞれ、中央部２３に近い側の第１の傾斜縁２２ｃ１と、ウエストバンド部３０に近い側の第２の傾斜縁２２ｃ２とに所定高さ位置で分割し、かつ、後側部２２の鉛直線に対する第１の傾斜縁２２ｃ１の勾配より第２の傾斜縁２２ｃ２の勾配を相対的に大きく設定して、傾斜縁２２ｃの勾配を前記所定高さ位置で変更し、前側部２１の左右一対の傾斜縁２１ｃ、中央部２３の左右一対の側縁２３ａ、及び、後側部２２の左右一対の傾斜縁２２ｃを、それぞれ、前側部２１の傾斜縁２１ｃに対応する線形状の第１の線状接合部３１、中央部２３の側縁２３ａに対応する線形状の第２の線状接合部３２、及び、後側部２２の第１の傾斜縁２２ｃ１に対応する線形状の第３の線状接合部３３、及び、後側部２２の第２の傾斜縁２２ｃ２に対応する線形状の第４の線状接合部３４により、外側被覆部１０の前身頃部１１及び股部１３及び後身頃部１２に一体的に接合し、着用者の体形に応じて、前側部２１の傾斜縁２１ｃの勾配と、後側部２２の第１の傾斜縁２２ｃ１の勾配と第２の傾斜縁２２ｃ２の勾配とをそれぞれ変更することで（即ち、これらの勾配を変更した各種の女性用下着を用意して着用者の体形に応じて使用することで）、ウエストバンド部３０による引き上げ力に基づく前側部２１及び後側部２２からの引っ張り力による中央部２３の展張状態を制御して、中央部２３が着用者の所定圧接範囲に面的に密接して当該圧接範囲を継続的に押圧するようにしている。
【００５０】
［内側被覆部２０の中央部２３の展張制御］
上述した内側被覆部２０の中央部２３の展張制御について、図１８及び図１９、並びに、図２２及び図２３を参照して説明する。
まず、図１８及び図１９に示すように、着用者ＵＳが女性用下着１を着用すると、外側被覆部１０の前身頃部１１が着用者ＵＳの下腹部の全範囲を覆うと共に、後身頃部１１が着用者ＵＳの臀部の全範囲を覆い、更に、股部１３が着用者ＵＳの股間部の全範囲を覆う一方、外側被覆部１０の内面で、内側被覆部２０の前側部２１が着用者ＵＳの下腹部の左右方向中央部を覆うと共に、後側部２２が着用者ＵＳの臀部の左右方向中央部を覆い、更に、中央部２３が着用者ＵＳの股間部の少なくとも外性器部分を覆う。このとき、女性用下着１は、ウエストバンド部３０が、着用者ＵＳの腰部の所定高さ位置の部位を弾性的に締め付けることにより当該所定高さ位置に固定的に配置定される。よって、着用者ＵＳの体形に応じて、女性用下着の特に内側被覆部２０において、ウエストバンド部３０の前側の下縁位置から後側の下縁位置までの前後周回方向の寸法を、着用者の前記所定高さ位置（即ち、ウエストバンド部３０の固定高さ位置）における前後周回方向の寸法より所定寸法だけ（例えば、着用者に窮屈感を与えない範囲の所定寸法だけ）小さく設定することにより、ウエストバンド部３０から前側部２１及び後身頃２２に対して、それぞれ、上方への引っ張り力及び引き上げ力が加わることになり、これにより、前側部２１及び後身頃２２を介して、中央部２３の前縁２１ｄ及び後縁２２ｄに前側上方及び後側上方への引っ張り力及び引き上げ力が加わることになる。
【００５１】
＜前身頃部側＞
したがって、図２２に示すように、女性用下着１の着用時に、内側被覆部２０の前側部２１には、まず、前記引き上げ力によって、図２２中の垂直方向の一点鎖線で示す方向（鉛直方向の上方）の第１の力又はベクトルが、（左右一対の第１の線状接合部３１間にある）前側部２１の特に左右方向中央部の帯状の領域（典型的には、中央部２３の位置及び幅に対応する位置及び幅の帯状部分）に発生する。一方、内側被覆部２０の前側部２１は、その傾斜縁２１ｃが単一の勾配の第１の線状接合部３１により外側被覆部１０の前身頃部１１に接合されている。したがって、前側部２１には、前記第１の力又はベクトルに加えて、前記引き上げ力が第１の線状接合部３１に伝達され、傾斜縁２１ｃ部分において、前記単一の曲線である傾斜縁２１ｃの勾配に応じて、図２２中の傾斜方向の一点鎖線で示す方向（傾斜方向の上方）の第２の力又はベクトルが発生する。その結果、前側部２１には、第１の力又はベクトル及び第２の力又はベクトルからなる２つの異なる方向の（所定の交差角度で交差する）力又はベクトルが作用することになり、特に、前側部２１の下縁２１ｄの下方に配設される中央部２３の前側部分では、第１の力又はベクトル及び第２の力又はベクトルのそれぞれの始点（図２２中に小さい黒丸乃至黒点で示す位置の点）が重複することとなり、かかる重複した始点が、重複した作用点となって、当該第１の力又はベクトル及び第２の力又はベクトルの重複した作用点（以下、「重複作用点」という。）からの力が、中央部２３の前側部分に合成して加えられる。なお、図２２の説明では、説明の便宜上、前側部２１の傾斜縁２１ｃの円弧方向の中間点における接線方向を、前側部２１の傾斜縁２１ｃの第２の力又はベクトルの方向として説明する。結果的に、前側部２１の傾斜縁２１ｃの勾配を適宜変更することで、第１の力又はベクトル及び第２の力又はベクトルの重複作用点の位置を変更し、当該重複作用点の位置の変更に応じて、中央部２３の展張状態を調節して制御することができる。
【００５２】
＜前身頃部側の具体例＞
具体的には、図２２（ａ）に示すように、前側部２１の傾斜縁２１ｃの勾配（即ち、この場合は曲率）を相対的に小さな値である第１の勾配α１に設定すると、傾斜縁２１ｃの円弧方向中間点において第２の力又はベクトルが水平線（即ち、前側部２１の第１の力又はベクトルの方向と一致する鉛直線と直交する線）に対して形成する傾斜角α１が相対的に大きな角度となる。したがって、第１の力又はベクトル及び第２の力又はベクトルの重複作用点の位置は、前側部２１の下縁２１ｄを超えて中央部２３側に変位し、中央部２３の前縁２１ｄよりも後方の第１の位置（典型的には、着用者の恥骨の下端を下方又は後方に超えた位置であって、外性器の膣前庭部分の前端付近の位置）に来る。また、図２２（ｂ）に示すように、前側部２１の傾斜縁２１ｃの勾配を相対的に中間的な値（即ち、前記第１の勾配α１よりも大きな値）である第２の勾配α２に設定すると、傾斜縁２１ｃの円弧方向中間点において第２の力又はベクトルが水平線に対して形成する傾斜角α２が相対的に中間的な角度（即ち、前記傾斜角α１よりも大きな角度）となる。したがって、第１の力又はベクトル及び第２の力又はベクトルの重複作用点の位置は、図２２（ａ）の第１の勾配α１の場合よりも前身頃２１側に変位し、前側部２１と中央部２３との境界位置である第２の位置（典型的には、着用者の恥骨の下端付近の位置又は外性器全体の前端付近の位置であって、前側部２１の下縁２１ｄ又は中央部２３の前縁２１ｄの位置）に来る。また、図２２（ｃ）に示すように、前側部２１の傾斜縁２１ｃの勾配を相対的に大きな値（即ち、前記第２の勾配α２よりも更に大きな値）である第３の勾配α３に設定すると、傾斜縁２１ｃの円弧方向中間点において第２の力又はベクトルが水平線に対して形成する傾斜角α３が相対的に大きな角度（即ち、前記傾斜角α２よりも更に大きな角度）となる。したがって、第１の力又はベクトル及び第２の力又はベクトルの重複作用点の位置は、図２２（ｂ）の第２の勾配α２の場合よりも更に前側部２１側に変位し、前側部２１の下縁２１ｄよりも上方の第３の位置（典型的には、着用者の恥骨の下端よりも所定距離だけ上方の位置であって、前側部２１の下縁２１ｄ又は中央部２３の前縁２１ｄよりも所定距離だけ上方の位置）に来る。
【００５３】
＜後身頃部側＞
前側部２１の場合と同様に、図２３に示すように、女性用下着１の着用時に、内側被覆部２０の後側部２２には、まず、図２３中の垂直方向の一点鎖線で示す方向（鉛直方向の上方）の第１の力又はベクトルが、（左右一対の第３及び第４の線状接合部３３，３４間にある）後側部２２の特に左右方向中央部の帯状の領域（典型的には、中央部２３の位置及び幅に対応する位置及び幅の帯状部分）に発生する。一方、内側被覆部２０の後側部２２は、その傾斜縁２２ｃが、異なる勾配の第１の傾斜縁２２ｃ１及び第２の傾斜縁２２ｃ２からなり、第１の傾斜縁２２ｃ１が第３の線状接合部３３により外側被覆部１０の後身頃部１２に接合されると共に、第２の傾斜縁２２ｃ２が第４の線状接合部３４により外側被覆部１０の後身頃部１２に接合されている。したがって、後側部２２には、前記第１の力又はベクトルに加えて、前記引き上げ力が第４の線状接合部３４から第３の線状接合部３３に伝達され、傾斜縁２２ｃ部分において、（異なる勾配の第１及び第２の傾斜縁２２ｃ１，２２ｃ２からなる）傾斜縁２２ｃの勾配に応じて、図２３中の傾斜方向の一点鎖線で示す方向（傾斜方向の上方）の第２の力又はベクトルが発生する。
【００５４】
ここで、後側部２２の傾斜縁２２ｃ全体における力又はベクトルは、上記のとおり、勾配の異なる第１の傾斜縁２２ｃ１及び第２の傾斜縁２２ｃ２で（第３の線状接合部３３及び第４の線状接合部３４を介して）発生する異なる２つの力又はベクトルの合成力又はベクトルとなるが、本説明では、説明の便宜上、かかる合成力又はベクトルを１本の力又はベクトルに変換して図２３に示し、本説明中の第２の力又はベクトルとして説明する。前側部２１の（単一の勾配乃至曲率の曲線である）傾斜縁２１ｃの第２の力又はベクトルの方向は、上記のように、傾斜縁２１ｃの円弧方向中央位置の接線方向として近似して説明することができるが、後側部２２の傾斜縁２２ｃは、勾配乃至曲率の異なる２つの曲線（即ち、下側にある相対的に大きな勾配乃至曲率の第１の傾斜縁２２ｃ１と、上側にある相対的に小さな勾配乃至曲率の第２の傾斜縁２２ｃ２）からなるため、傾斜縁２２ｃにおける２つの力又はベクトルの合成力又は合成ベクトルである第２の力又はベクトルの方向は、傾斜縁２２ｃの円弧方向中央位置よりも下方（第１の傾斜縁２２ｃ１に近接する方向）に偏った位置の接線の方向に近似して説明することができる。
【００５５】
このように、前側部２１の場合と同様、後側部２２には、前記第１の力又はベクトルに加えて、傾斜縁２２ｃ部分において、（異なる複数の勾配を有する）曲線である傾斜縁２１ｃの勾配に応じて、図２３中の傾斜方向の一点鎖線で示す方向（傾斜方向の上方）の第２の力又はベクトルが発生する。その結果、後側部２２には、第１の力又はベクトル及び第２の力又はベクトルからなる２つの異なる方向の（所定の交差角度で交差する）力又はベクトルが作用することになり、特に、後側部２２の下縁２２ｄの下方に配設される中央部２３の後側部分では、第１の力又はベクトル及び第２の力又はベクトルのそれぞれの始点（図２３中に小さい黒丸乃至黒点で示す位置の点）が重複することとなり、かかる重複した始点が、重複した作用点となって、当該第１の力又はベクトル及び第２の力又はベクトルの重複作用点からの力が、中央部２３の後側部分に合成して加えられる。結果的に、後側部２２の傾斜縁２２ｃの勾配を適宜変更することで（即ち、第１の傾斜縁２２ｃ１の勾配及びだ２の傾斜縁２２ｃ２の勾配のいずれか一つ、または、双方を変更して、傾斜縁２２ｃ全体の勾配を変更することで）、第１の力又はベクトル及び第２の力又はベクトルの重複作用点の位置を変更し、当該重複作用点の位置の変更に応じて、中央部２３の展張状態を調節して制御することができる。
【００５６】
特に、後側部２２では、上記のように、傾斜縁２２ｃを２つの勾配部分（即ち、第１の傾斜縁２２ｃ１及び第２の傾斜縁２２ｃ２）から構成すると共に、後側部２２の縁直線に対する傾斜縁２２ｃの勾配を、中央部２３に近い下縁２２ｄ側では小さくし、かつ、中央部２３から遠い（即ち、ウエストバンド部３０に近い）上縁２２ａ側では大きくすることで、当該勾配の異なる第１の傾斜縁２２ｃ１部分及び第２の傾斜縁２２ｃ２部分で異なる力又はベクトルを得ることができ、特に、中央部２３に近い第１の傾斜縁２２ｃ１の勾配を、鉛直線に対してより小さな勾配の（即ち、より直立するような勾配、例えば、８０〜９０度の範囲内、好ましくは、８５〜９０度の範囲内の勾配）とすることで、後側部２２の中央部２３近傍の生地部分、及び、当該生地部分に隣接する中央部２３の生地部分における生地の展張状態を一層容易に制御することができる。
【００５７】
＜後身頃部側の具体例＞
具体的には、図２３（ａ）に示すように、後側部２２の傾斜縁２２ｃの勾配（即ち、この場合は曲率）を相対的に小さな値である第１の勾配β１に設定すると、傾斜縁２２ｃの円弧方向所定地点において第２の力又はベクトルが水平線に対して形成する傾斜角β１が相対的に大きな角度となる。したがって、第１の力又はベクトル及び第２の力又はベクトルの重複作用点の位置は、後側部２２の下縁２２ｄを超えて中央部２３側に変位し、中央部２３の後縁２２ｄよりも前方の所定位置（典型的には、着用者の尾骨の下端を下方又は前方に超えた位置であって、外性器の膣前庭部分の後端付近の位置）に来る。また、図２３（ｂ）に示すように、後側部２２の傾斜縁２２ｃの勾配を相対的に中間的な値（即ち、前記第１の勾配β１よりも大きな値）である第２の勾配β２に設定すると、傾斜縁２２ｃの円弧方向所定地点において第２の力又はベクトルが水平線に対して形成する傾斜角β２が相対的に中間的な角度（即ち、前記傾斜角β１よりも大きな角度）となる。したがって、第１の力又はベクトル及び第２の力又はベクトルの重複作用点の位置は、図２３（ａ）の第１の勾配β１の場合よりも後身頃２２側に変位し、後側部２２と中央部２３との境界位置（典型的には、着用者の尾骨の下端付近の位置であって、後側部２２の下縁２２ｄ又は中央部２３の後縁２２ｄの位置）に来る。また、図２３（ｃ）に示すように、後側部２２の傾斜縁２２ｃの勾配を相対的に大きな値（即ち、前記第２の勾配β２よりも更に大きな値）である第３の勾配β３に設定すると、傾斜縁２２ｃの円弧方向所定地点において第２の力又はベクトルが水平線に対して形成する傾斜角β３が相対的に大きな角度（即ち、前記傾斜角β２よりも更に大きな角度）となる。したがって、第１の力又はベクトル及び第２の力又はベクトルの重複作用点の位置は、図２３（ｂ）の第２の勾配β２の場合よりも更に後側部２２側に変位し、後側部２２の下縁２２ｄよりも上方の所定位置（典型的には、着用者の尾骨の下端よりも所定距離だけ上方の位置であって、後側部２２の下縁２２ｄ又は中央部２３の後縁２２ｄよりも所定距離だけ上方の位置）に来る。
【００５８】
［作用効果］
上記のように、前側部２１の傾斜縁２１ｃの勾配を第１の勾配α１、第２の勾配α２及び第３の勾配α３の間で変更することで、中央部２３の前側から加わる第１の力又はベクトル及び第２の力又はベクトルの重複作用点の位置を第１の位置、第２の位置及び第３の位置の間で変更することができる一方、後側部２２の傾斜縁２２ｃの勾配を第１の勾配β１、第２の勾配β２及び第３の勾配β３の間で変更することで、中央部２３の後側から加わる第１の力又はベクトル及び第２の力又はベクトルの重複作用点の位置を第１の位置、第２の位置及び第３の位置の間で変更することができる。したがって、上記のように、非伸長性又は低伸長性の内側被覆部２０において、前側部２１の傾斜縁２１ｃの勾配及び後側部２２の傾斜縁２２ｃの勾配をそれぞれ適宜変更して、中央部２３の前側からの力又はベクトルの重複作用点の位置と中央部２３の後側からの力又はベクトルの重複作用点の位置とを、（例えば、上記第１〜第３の位置の間で）適宜変更することで、中央部２３の前後における当該重複作用点の位置の組み合わせに応じて、中央部２３に対して前後から加わる引張力の位置を変更することができ、この引張力の位置の変更に応じて布部２３の展張状態を制御することができ、この展張状態の制御により着用者の股間部に対する股間部２３の圧接状態が、着用者の体形（特に、股間部の形状）に応じて最適なものとなるように調節して制御することができる。
【００５９】
具体的には、例えば、中央部２３の前側の力又はベクトルの重複作用点を図２２（ｃ）の位置とし、中央部２３の後側の力又はベクトルの重複作用点を図２３（ｃ）の位置とすると、中央部２３の前縁２１ｄ及び後縁２２ｄよりも前後に離れた位置から中央部２３を前方及び後方に引っ張り上げることができ、着用者の股間部周辺に対する股間部２３及びその周辺部分の圧接範囲がより広範囲となるように中央部２３を展張することができる。また、例えば、中央部２３の前側の力又はベクトルの重複作用点を図２２（ｂ）の位置とし、中央部２３の後側の力又はベクトルの重複作用点を図２３（ｂ）の位置とすると、中央部２３の前縁２１ｄ及び後縁２２ｄとほぼ一致する位置で中央部２３を前方及び後方に引っ張り上げることができ、着用者の股間部の外性器の前端及び後端間の範囲にほぼ一致する範囲が集中的な圧接範囲となるように中央部２３を展張することができる。また、例えば、中央部２３の前側の力又はベクトルの重複作用点を図２２（ａ）の位置とし、中央部２３の後側の力又はベクトルの重複作用点を図２３（ａ）の位置とすると、中央部２３の前縁２１ｄ及び後縁２２ｄよりも内側の位置（即ち、膣前庭により近接した位置）で中央部２３を前方及び後方に引っ張り上げることができ、着用者の股間部の外性器のうち（特に骨盤臓器脱において膣口から外部に脱しようとする骨盤内臓器を集中的かつ効率的に下側から押圧支持できる）膣前庭の範囲にほぼ一致する範囲が集中的な圧接範囲となるように中央部２３を展張することができる。
【００６０】
或いは、中央部２３の前側からの引き上げ力について、第１の力又はベクトル及び第２の力又はベクトルの重複作用点が前記第１の位置（図２２（ａ）の位置）にくるよう、前側部２１の傾斜縁２１ｃの勾配を第１の勾配α１に設定すると、股間部２３には、その前縁２１ｄよりも下方又は後方に所定距離だけ離れた位置で、第１の力又はベクトル及び第２の力又はベクトルの始点から引き上げ力が加わる。このとき、第１の力又はベクトルは、当該第１の位置で中央部２３を上方に垂直に引き上げようとし、第２の力又はベクトルは、当該第１の位置で中央部２３を左右上斜め方向に所定角度α１で引き上げようとする。一方、このとき、中央部２３の前縁２１ｄの位置付近には着用者の恥骨の下端が位置しており、一般に恥骨部分では恥骨の下端縁がコーナー部状（後方に屈曲する隅角状）となっていることから、左右からの第２の力又はベクトルによる引張力は、当該コーナー部において左右方向に離間した位置で、それぞれ、中央部２３を前方に引っ張る力となり、当該離間した位置の幅をもって、中央部２３に対して前方への展張力を付与する。したがって、中央部２３の前側の力又はベクトルの重複作用点を図２２（ａ）の位置とした場合、中央部２３の左右方向の展張状態を（特に前側で）良好なものとして、中央部２３を着用者の股間部に圧接させることができる。
【００６１】
一方、中央部２３の後側からの引き上げ力についても、同様に、第１の力又はベクトル及び第２の力又はベクトルの重複作用点が前記第１の位置（図２３（ａ）の位置）にくるよう、後側部２２の傾斜縁２２ｃの勾配を第１の勾配β１に設定すると、股間部２３には、その後縁２２ｄよりも下方又は前方に所定距離だけ離れた位置で、第１の力又はベクトル及び第２の力又はベクトルの始点から引き上げ力が加わる。このとき、第１の力又はベクトルは、当該第１の位置で中央部２３を上方に垂直に引き上げようとし、第２の力又はベクトルは、当該第１の位置で中央部２３を左右上斜め方向に所定角度β１で引き上げようとする。一方、このとき、中央部２３の後縁２２ｄの位置付近には着用者の尾骨の下端が位置しており、一般に尾骨部分では尾骨の下端縁がコーナー部状（前方に屈曲する隅角状）となっていることから、左右からの第２の力又はベクトルによる引張力は、当該コーナー部において左右方向に離間した位置で、それぞれ、中央部２３を後方に引っ張る力となり、当該離間した位置の幅をもって、中央部２３に対して後方への展張力を付与する。したがって、中央部２３の後側の力又はベクトルの重複作用点を図２３（ａ）の位置とした場合、中央部２３の左右方向の展張状態を（特に後側で）良好なものとして、中央部２３を着用者の股間部に圧接させることができる。よって、中央部２３の前側の力又はベクトルの重複作用点を図２２（ａ）の位置とし中央部２３の後側の力又はベクトルの重複作用点を図２３（ａ）の位置とした場合、中央部２３の左右方向の展張状態を前側及び後側の双方で良好なものとして、中央部２３を着用者の股間部に（確実に外性器の全範囲を包含するよう）面的に圧接させることができる。
【００６２】
また、このとき、中央部２３の側縁２３ａ部分が、第２の線状接合部３２により外側被覆部１０の股部１３に接合されると共に、当該第２の線状接合部３２の前端が前側部２１の傾斜縁２１ｃ部分の第１の線状接合部３１の下端に連続し、かつ、当該第２の線状接合部３２の後端が後側部２２の傾斜縁２２ｃ部分の第３の線状接合部３３及び第４の線状接合部３４の下端に連続している。したがって、前側部２１及び後側部２２からの引き上げ力が、効率よく伝達される。
【００６３】
上記のとおり、前側部２１のように、傾斜縁２１ｃが単一の曲線から構成される場合は、傾斜縁２１ｃの勾配は、当該単一の曲線の曲率により決定され、傾斜縁２２ｃが単一の直線から構成される場合は、傾斜縁２１ｃの勾配は、当該単一の直線の傾斜角により決定される。一方、後側部２２のように、傾斜縁２２ｃが異なる曲率の第１の傾斜縁２２ｃ１及び第２の傾斜縁２２ｃ２から構成される場合は、当該２つの曲線の高さ寸法（即ち、曲線の長さ（円弧長））の比と、当該２つの曲線の曲率の比の組み合わせにより、傾斜縁２２ｃ全体の勾配が決定される。また、後側部２２の傾斜縁２２ｃが、前側部２１の傾斜縁２１ｃよりも所定の角度だけ鋭角の傾斜状となっている。即ち、後側部２２の下側部分の湾曲傾斜状をなす左右一対の傾斜縁２２ｃは、着用者の臀部の左右方向中央部の位置で延びるような輪郭形状、具体的には、着用者の後側部分である臀部において脚の付け根とウエストラインとの間の部分を曲線的に延びるような輪郭形状を有しており、この輪郭形状を持って後側部２２が着用者の臀部の左右方向中央部分を覆うようになっており、後側部２２の左右一対の傾斜縁２２ｃが、それぞれ、着用者の骨盤の左右一対の腸骨陵の上端付近の位置（上記のような上後腸骨棘の所定高さ位置）から股間位置まで、着用者の臀部の（脚の付け根とウエストラインとの間の）前記中間部分の湾曲面に沿って延びるよう設けられている。
【００６４】
［使用例］
実施の形態１の女性用下着は、図２０及び図２１に示すように、着用時に、ウエストバンド部３０が着用者ＵＳの腰部の所定高さ位置で腰部を弾性的に締め付けた状態で固定され、この状態で、外側被覆部１０の前身頃部１１が着用者の下腹部の全面を覆い、後身頃部１２が臀部の全面を覆い、股部１３が股間部の全面を覆う。一方、この状態で、内側被覆部２０は、前側部２１が着用者ＵＳの下腹部の左右方向中央部の所定範囲を覆い、後側部２２が臀部の左右方向中央部の所定範囲を覆い、股部１３が股間部の少なくとも外性器を包含する範囲を覆う。このとき、内側被覆部２０は、上記のとおり、中央部２３が着用者の股間部の少なくとも外性器を包含する範囲の露出面に面的に圧接した状態を維持するため、図２１（ａ）に示すように本実施の形態の女性用下着１を着用していない場合においては、骨盤臓器脱の場合に骨盤内臓器ＶＧが外性器の膣口ＰＲから外部に脱しようとするが、図２１（ｂ）に示すように本実施の形態の女性用下着１を着用すると、内側被覆部２０の中央部２３が、膣口ＰＲから外部に脱しようとする骨盤内臓器ＶＧを外部及び下方から支持して、骨盤内臓器ＶＧが膣口ＰＲから外部に脱することを効果的に防止する。
【００６５】
［実施の形態２］
図２４に示すように、本発明の実施の形態２に係る女性用下着は、実施の形態１の女性用下着１の内側被覆部２０の上縁（即ち、前側部２１の上縁２１ａ及び後側部２２の上縁２２ａ）に、ウエストバンド部３０と同様の周回帯状の補助ベルト部４０を一体形成し、補助ベルト部４０をウエストバンド部３０に積層して（即ち、その外側又は内側に重ね合わせて）一体化するようにしたものである。この構成以外の構成は、実施の形態１の女性用下着１と同様である。実施の形態２に女性用下着では、ウエストベルト３０の弾性締め付け力に加えて補助ベルト部４０の弾性締め付け力を合体させることで、着用者のウエスト部の所定高さ位置（上記のような骨盤の腸骨上端付近の位置）にウエストバンド部３０（並びに外側被覆部１０及び内側被覆部２０の上縁）を固定的に安定して保持することができ、中央部２３に対して引き上げ力をより効果的に伝達することができる。
【００６６】
［別例］
ところで、上記実施の形態の説明では、外側被覆部１０は、前身頃部１１、後身頃部１２及び股部１３の３つのシート素材からなる構成とし、それらの接合端縁を互いに接合して最終的な外側被覆部１０の一体構造（通常の女性用下着に対応する構造）としているが、これは、あくまで説明の便宜上の要請に基づくものであり、例えば、前身頃部１１、後身頃部１２及び股部１３の全てを１枚のシート状素材から形成して、当該シート素材を接合端縁で接合して最終的な外側被覆部１０の一体構造としたり、或いは、前身頃部１１、後身頃部１２及び股部１３のいずれかの２つを１枚のシート状素材から形成すると共に、他の１つを別個のシート素材から形成し、当該２枚のシート素材を接合端縁で接合して最終的な外側被覆部１０の一体構造としたりすることもできる。例えば、前身頃部と股部、又は、後身頃部と股部とを１枚のシート素材から形成することもできる。更には、前身頃部と後身頃部とを１枚のシート素材から形成し、かつ、後身頃部の左右中央位置で２分割したシート形状とすると共に、その１枚のシート素材を分割位置の端縁で接合する一方、別のシート素材から形成した股部をかかる１枚のシート素材に接合することもできる。更にまた、前身頃部１１、後身頃部１２又は股部１３を（特に、前身頃部１１及び後身頃部１２のいずれか、または、双方を）、それぞれ、複数の領域に区画して各領域を別個のシート素材から形成し、各領域のシート素材を接合して前身頃部１１、後身頃部１２又は股部１３を構成することもできる。
【００６７】
一方、上記実施の形態の説明では、内側被覆部２０は、前側部２１、後側部２２及び中央部２３の３つの部分からなる一体構造としているが、上記のとおり、１枚のシート素材から所定形状及び所定寸法に形成した所定の一体構造構成とする以外に、前側部２１、後側部２２及び中央部２３をそれぞれ別個のシート素材から形成した別体構成とし、それらを接合端縁で縫製等により接合して所定の一体構造となるようにすることも可能である。
【００６８】
また、本発明の女性用下着１では、外側被覆部１０は、前見頃部１１及び後見頃部１２が着用者の腰骨の高さ位置まで延びる深い丈を有しており、かつ、前見頃部１１及び後見頃部１２並びに股部１３が、内側被覆部２０の前側部２１及び後側部２２並びに中央部２３を完全に外側から覆って、少なくとも前見頃部１１及び後見頃部１２が内側被覆部２０の前側部２１及び後側部２２の左右両側に延設される（或いは張り出す）構成とされる限りにおいて、実施の形態に例示する外観構成以外にも、いわゆるローレグのライン構成としたり、いわゆるブラジリアンカットのバックスタイルとしたりするなど、種々の外観構成を採用することができる。更に、五分長（膝上丈）のものとしたり、三分長（膝より半分の短さのもの）としたり、壱分長（ボーイレッグとほぼ同じ丈のもの）としたりすることもできる。
【００６９】
また、本発明の女性用下着１では、着用者の股間部に対向する部分である外側被覆部１０の股部１３と内側被覆部２０の中央部２３の積層構造については、外側被覆部１０の股部１３自体を通常の女性用下着のように２枚重ねの構造とし、その上に内側被覆部２０の中央部２３を重ね合わせること（即ち、合計で３枚重ねの構造とすること）も可能であるが、それぞれを１枚のシート素材から構成し、合計で２枚のシート素材を重ね合わせた二枚重ねの構造とすることが、着用者の股間部における蒸れ等を防止する点からは好ましい。一方、内側被覆部２０のシート素材の材質によっては（特に肌触りのよくない材質の場合）、中央部２３の内面に肌触りのよい材質の生地を重ね合わせて接合することも可能である。或いは、内側被覆部２０の中央部２３の内面に、着用者の外性器部分の凹凸形状（特に、膣前庭の凹部形状）に対応する柔軟素材又は弾性素材の立体形状の部分を設け、女性用下着１の着用時に当該立体形状の部分が着用者の股間部の外性器部分の凹凸形状に追従し、特に膣前庭部分に密接して膣前庭部分（特に、膣口部分）を密接状態で柔軟に押圧するよう構成することもできる。また、本発明の女性用下着１は、外側被覆部１０を光透過性のある（例えば、半透明、有色透明等の）シート素材から形成することにより、外部から外側被覆部１０を介して内側被覆部２０の輪郭（及び、内側被覆部２０に模様や色付き模様を付した場合の当該模様や色付き模様）を視認することができ、独特の意匠的効果を発揮することもできる。
【産業上の利用可能性】
【００７０】
本発明の女性用下着は、好適には、骨盤臓器脱の治療用下着に具体化することができるが、これ以外にも、女性である着用者の股間部の所定範囲（特に、外性器の全体や、少なくとも膣前庭の全体）を圧接状態で押し上げる必要がある女性用下着に具体化することができる。
【符号の説明】
【００７１】
１０：外側被覆部、１１：前身頃部、１１ｃ：傾斜縁、１２：後身頃部、１２ｃ：傾斜縁、１３：股部、１５：開口部
２０：内側被覆部、２１：前側部２１ｃ：傾斜縁、２２：後側部２２ｃ１：第１の傾斜縁、２２ｃ２：第２の傾斜縁、２３：股部、２５：開口部
３０：ウエストバンド部
３１：第１の線状接合部、３２：第２の線状接合部、３３：第３の線状接合部、３４：第４の線状接合部
【要約】
【課題】骨盤臓器脱の治療用下着として好適に使用することができる女性用下着の提供。
【解決手段】内側被覆部２０は、非伸長性シート素材又は低伸長性シート素材からなる前側部２１と中央部２３と後側部２２とを、ウエストバンド部３０の前側から後側まで一連の連続シート状として延設すると共に、それらの両側の縁２１ｃ，２３ａ，２２ｃを、線状接合部３１〜３４により、外側被覆部１０の前身頃部１１及び股部１３及び後身頃部１２に一体的に接合する。前側部２１と中央部２３と後側部２２とを、ウエストバンド部３０による引き上げ力によって上方に引き上げることで、中央部２３を着用者の股間部の所定の圧接範囲に圧接させる。
【選択図】図１【図１】
0005492339.tif 000002
【図２】
0005492339.tif 000003
【図３】
0005492339.tif 000004
【図４】
0005492339.tif 000005
【図５】
0005492339.tif 000006
【図６】
0005492339.tif 000007
【図７】
0005492339.tif 000008
【図８】
0005492339.tif 000009
【図９】
0005492339.tif 000010
【図１０】
0005492339.tif 000011
【図１１】
0005492339.tif 000012
【図１２】
0005492339.tif 000013
【図１３】
0005492339.tif 000014
【図１４】
0005492339.tif 000015
【図１５】
0005492339.tif 000016
【図１６】
0005492339.tif 000017
【図１７】
0005492339.tif 000018
【図１８】
0005492339.tif 000019
【図１９】
0005492339.tif 000020
【図２０】
0005492339.tif 000021
【図２１】
0005492339.tif 000022
【図２２】
0005492339.tif 000023
【図２３】
0005492339.tif 000024
【図２４】
0005492339.tif 000025